(57)【要約】  合分波装置を複数段備える場合に生じる光信号の帯域の狭窄を抑制するため、光伝送装置は、入力された送信光信号の各々に対し第一フィルタ処理を行った第一処理後信号の各々を合波した第一波長多重信号を出力する第一合波装置と、第二フィルタ処理を行った前記第一波長多重信号の各々を合波した第二波長多重信号を出力する第二合波装置と、を備え、前記第一フィルタ処理の各々に係る透過帯域である第一透過帯域の各々の上限及び下限の各々が、前記第二フィルタ処理の各々に係る透過帯域である第二透過帯域の各々の上限及び下限の各々と異なる。
2019208413.tif 000002
【特許請求の範囲】
【請求項１】
入力された送信光信号の各々に対し第一フィルタ処理を行った第一処理後信号の各々を合波した第一波長多重信号を出力する第一合波装置と、
第二フィルタ処理を行った前記第一波長多重信号の各々を合波した第二波長多重信号を出力する第二合波装置と、
を備え、
前記第一フィルタ処理の各々に係る透過帯域である第一透過帯域の各々の上限及び下限の各々が、前記第二フィルタ処理の各々に係る透過帯域である第二透過帯域の各々の上限及び下限の各々と異なる、
光伝送装置。
【請求項２】
前記第二透過帯域は前記第一透過帯域と共通の透過帯域部分を有する、請求項１に記載された光伝送装置。
【請求項３】
前記入力を行う送信器をさらに備える、請求項１又は請求項２に記載された光伝送装置。
【請求項４】
ある前記第二透過帯域に含まれる前記第一透過帯域のうち最も高い周波数のものの上限が、その前記第二透過帯域の上限よりも高い、請求項１乃至請求項３のうちのいずれか一に記載された光伝送装置。
【請求項５】
周波数の近接した二つの前記第二透過帯域のうちの低い周波数の方に含まれる前記第一透過帯域のうち最も高い周波数のものの上限が、その前記第二透過帯域の上限よりも高い、請求項１又は請求項２に記載された光伝送装置。
【請求項６】
ある前記第二透過帯域に含まれる前記第一透過帯域のうち最も低い周波数のものの下限が、その前記第二透過帯域の下限よりも低い、請求項１乃至請求項５のうちのいずれか一に記載された光伝送装置。
【請求項７】
周波数の近接した二つの前記第二透過帯域のうちの周波数が高い方に含まれる前記第一透過帯域のうち最も低い周波数のものの下限が、その前記第二透過帯域の下限よりも低い、請求項１乃至請求項５のうちのいずれか一に記載された光伝送装置。
【請求項８】
入力された送信光信号の各々に対し第一フィルタ処理を行った第一処理後信号の各々を合波した第一波長多重信号を出力する第一合波装置と、
第二フィルタ処理を行った前記第一波長多重信号の各々を合波した第二波長多重信号を出力する第二合波装置と、
前記第一フィルタ処理の各々に係る透過帯域である第一透過帯域の各々の上限及び下限の各々を、前記第二フィルタ処理の各々に係る透過帯域である第二透過帯域の各々の上限及び下限の各々と異なるように設定する設定部とを備える、
光伝送装置。
【請求項９】
請求項１乃至請求項８のうちのいずれか一に記載された伝送装置が送信した前記第二波長多重信号を第一受信波長多重信号として受信する、光受信装置。
【請求項１０】
前記第一受信波長多重信号を分波した第一分波信号の各々に対し第三フィルタ処理を行った第二受信波長多重信号を出力する第一分波装置と、
前記第二受信波長多重信号を分波した第二分波信号に対し第四フィルタ処理を行った受信光信号を出力する第二分波装置と、
を備え、
前記第三フィルタ処理の各々に係る透過帯域である第三透過帯域の各々の上限及び下限の各々が、前記第四フィルタ処理の各々に係る透過帯域である第四透過帯域の各々の上限及び下限の各々と異なる、
請求項９に記載された光受信装置。
【請求項１１】
前記受信光信号を受信する受信器をさらに備える、請求項１０に記載された光受信装置。
【請求項１２】
ある前記第三透過帯域に含まれる前記第四透過帯域のうち最も高い周波数のものの上限が、その前記第三透過帯域の上限よりも高い、請求項１１に記載された光受信装置。
【請求項１３】
周波数の近接した二つの前記第三透過帯域のうちの低い周波数の方に含まれる前記第四透過帯域のうち最も高い周波数のものの上限が、その前記第三透過帯域の上限よりも高い、請求項１１に記載された光受信装置。
【請求項１４】
ある前記第三透過帯域に含まれる前記第四透過帯域のうち最も低い周波数のものの下限が、その前記第三透過帯域の下限よりも低い、請求項１０乃至請求項１３のうちのいずれか一に記載された光受信装置。
【請求項１５】
周波数の近接した二つの前記第三透過帯域のうちの周波数が高い方に含まれる前記第四透過帯域のうち最も低い周波数のものの下限が、その前記第三透過帯域の下限よりも低い、請求項１０乃至請求項１３のうちのいずれか一に記載された光受信装置。
【請求項１６】
前記第一受信波長多重信号を分波した第一分波信号の各々に対し第三フィルタ処理を行った第二受信波長多重信号を出力する第一分波装置と、
前記第二受信波長多重信号を分波した第二分波信号に対し第四フィルタ処理を行った受信光信号を出力する第二分波装置と、
前記第三フィルタ処理の各々に係る透過帯域である第三透過帯域の各々の上限及び下限の各々を、前記第四フィルタ処理の各々に係る透過帯域である第四透過帯域の各々の上限及び下限の各々と異なるように設定する、第二設定部と、
備える請求項９に記載された光受信装置。
【請求項１７】
請求項９乃至請求項１６のうちのいずれか一に記載された光受信装置と前記伝送装置とを備える、光通信システム。
【請求項１８】
入力された送信光信号の各々に対し第一フィルタ処理を行った第一処理後信号の各々を合波した第一波長多重信号を出力し、
第二フィルタ処理を行った前記第一波長多重信号の各々を合波した第二波長多重信号を出力し、
前記第一フィルタ処理の各々に係る透過帯域である第一透過帯域の各々の上限及び下限の各々が、前記第二フィルタ処理の各々に係る透過帯域である第二透過帯域の各々の上限及び下限の各々と異なる、
光伝送方法。
【請求項１９】
受信した第一受信波長多重信号を分波した第一分波信号の各々に対し第三フィルタ処理を行った第二受信波長多重信号を出力し、
前記第二受信波長多重信号を分波した第二分波信号に対し第四フィルタ処理を行った受信光信号を出力し、
前記第三フィルタ処理の各々に係る透過帯域である第三透過帯域の各々の上限及び下限の各々が、前記第四フィルタ処理の各々に係る透過帯域である第四透過帯域の各々の上限及び下限の各々と異なる、
光受信方法。
【請求項２０】
入力された送信光信号の各々に対し第一フィルタ処理を行った第一処理後信号の各々を合波した第一波長多重信号を出力する第一合波装置と、第二フィルタ処理を行った前記第一波長多重信号の各々を合波した第二波長多重信号を出力する第二合波装置と、における前記第一フィルタ処理の各々に係る透過帯域である第一透過帯域の各々の上限及び下限の各々を、前記第二フィルタ処理の各々に係る透過帯域である第二透過帯域の各々の上限及び下限の各々と異なるように設定する、
設定方法。
【請求項２１】
入力された第一受信波長多重信号を分波した第一分波信号の各々に対し第三フィルタ処理を行った第二受信波長多重信号を出力する第一分波装置と、前記第二受信波長多重信号を分波した第二分波信号に対し第四フィルタ処理を行った受信光信号を出力する第二分波装置と、における、前記第四フィルタ処理の各々に係る透過帯域である第四透過帯域の各々の上限及び下限の各々を、前記第三フィルタ処理の各々に係る透過帯域である第三透過帯域の各々の上限及び下限の各々が、前記第四フィルタ処理の各々に係る透過帯域である第四透過帯域の各々の上限及び下限の各々と異なるように設定する、
設定方法。
【請求項２２】
入力された送信光信号の各々に対し第一フィルタ処理を行った第一処理後信号の各々を合波した第一波長多重信号を出力する処理と、
第二フィルタ処理を行った前記第一波長多重信号の各々を合波した第二波長多重信号を出力する処理と、
をコンピュータに実行させ、
前記第一フィルタ処理の各々に係る透過帯域である第一透過帯域の各々の上限及び下限の各々が、前記第二フィルタ処理の各々に係る透過帯域である第二透過帯域の各々の上限及び下限の各々と異なる、
光伝送プログラムを記録した非一時的なコンピュータ可読媒体。
【請求項２３】
受信した第一受信波長多重信号を分波した第一分波信号の各々に対し第三フィルタ処理を行った第二受信波長多重信号を出力する処理と、
前記第二受信波長多重信号を分波した第二分波信号に対し第四フィルタ処理を行った受信光信号を出力する処理と、
をコンピュータに実行させ、
前記第三フィルタ処理の各々に係る透過帯域である第三透過帯域の各々の上限及び下限の各々が、前記第四フィルタ処理の各々に係る透過帯域である第四透過帯域の各々の上限及び下限の各々と異なる、
光受信プログラムを記録した非一時的なコンピュータ可読媒体。
【請求項２４】
入力された送信光信号の各々に対し第一フィルタ処理を行った第一処理後信号の各々を合波した第一波長多重信号を出力する第一合波装置と、第二フィルタ処理を行った前記第一波長多重信号の各々を合波した第二波長多重信号を出力する第二合波装置と、における前記第一フィルタ処理の各々に係る透過帯域である第一透過帯域の各々の上限及び下限の各々を、前記第二フィルタ処理の各々に係る透過帯域である第二透過帯域の各々の上限及び下限の各々と異なるように、コンピュータに設定させる、
設定プログラムを記録した非一時的なコンピュータ可読媒体。
【請求項２５】
入力された第一受信波長多重信号を分波した第一分波信号の各々に対し第三フィルタ処理を行った第二受信波長多重信号を出力する第一分波装置と、前記第二受信波長多重信号を分波した第二分波信号に対し第四フィルタ処理を行った受信光信号を出力する第二分波装置と、における、前記第四フィルタ処理の各々に係る透過帯域である第四透過帯域の各々の上限及び下限の各々を、前記第三フィルタ処理の各々に係る透過帯域である第三透過帯域の各々の上限及び下限の各々が、前記第四フィルタ処理の各々に係る透過帯域である第四透過帯域の各々の上限及び下限の各々と異なるようにコンピュータに設定させる、
設定プログラムを記録した非一時的なコンピュータ可読媒体。
【発明の詳細な説明】
【技術分野】
【０００１】
本発明は、伝送路を介して光信号の送受信を行う光通信システムに関する。
【背景技術】
【０００２】
端局に設けられる光伝送装置には、複数の光信号を含む波長多重光信号を伝送するための合分波装置が設けられる。合分波装置としては、例えば、ＷＳＳ（Ｗａｖｅｌｅｎｇｔｈ  Ｓｅｌｅｃｔｉｖｅ  Ｓｗｉｔｃｈ）が用いられる（特許文献１参照）。【０００３】
ＷＳＳは光信号が入力するポートを複数備え、各ポートには入力する光信号をフィルタする波長帯域が設定される。ＷＳＳは入力する各光信号をフィルタして所定の周波数帯域の光信号にした後に合波し、合波後の多重光信号を伝送路へ出力する。
【先行技術文献】
【特許文献】
【０００４】
【特許文献１】国際公開第２０１７／１０９８３０号
【発明の概要】
【発明が解決しようとする課題】
【０００５】
波長利用効率を向上するために、ＷＳＳは入力する各光信号の波長帯域と略等しい波長帯域で各光信号をフィルタすることが望ましい。一方で、略等しい波長帯域でフィルタされた光信号には、ＷＳＳのフィルタ特性に起因して光スペクトルの狭窄が生じる。【０００６】
さらに、ＷＳＳが備えるポート数の制限により、前述の光伝送装置内にＷＳＳを複数段設けることが考えられる。このとき初段のＷＳＳのフィルタと次段のＷＳＳのフィルタのエッジが重なり又は近接することが考えられる。その場合、これらのフィルタを透過した光信号の信号帯域が過剰に狭窄される場合がある。これにより伝送品質に影響を与える可能性がある。【０００７】
本発明は、合分波装置を複数段備える場合に生じる光信号の帯域の狭窄を抑制し得る光伝送装置の提供を目的とする。
【課題を解決するための手段】
【０００８】
本発明の光伝送装置は、入力された送信光信号の各々に対し第一フィルタ処理を行った第一処理後信号の各々を合波した第一波長多重信号を出力する第一合波装置と、第二フィルタ処理を行った前記第一波長多重信号の各々を合波した第二波長多重信号を出力する第二合波装置と、を備え、前記第一フィルタ処理の各々に係る透過帯域である第一透過帯域の各々の上限及び下限の各々が、前記第二フィルタ処理の各々に係る透過帯域である第二透過帯域の各々の上限及び下限の各々と異なる。
【発明の効果】
【０００９】
本発明の転送制御装置等は、合分波装置を複数段備える場合に生じる光信号の帯域の狭窄を抑制し得る。
【図面の簡単な説明】
【００１０】
【図１】第一実施形態の光伝送装置の構成例を表す概念図である。
【図２】第一実施形態の合波装置における送信フィルタ処理に係る設定透過帯域例を表す概念図である。
【図３】帯域４０ｍの設定例を示す図である。
【図４】帯域４０ｍの別の設定例を示す図である。
【図５】第二実施形態の光通信システムの構成例を表す概念図である。
【図６】送信用光伝送装置における一般的な設定透過帯域を表す図である。
【図７】送信用光伝送装置における送信フィルタ処理後の一般的な送信光信号を表すイメージ図である。
【図８】第二実施形態の送信用光伝送装置における設定透過帯域の第一の例を表す図である。
【図９】第二実施形態の送信用光伝送装置における送信フィルタ処理後の送信光信号を表すイメージ図である。
【図１０】第二実施形態の送信用光伝送装置における設定透過帯域の第二の例を表す図である。
【図１１】第二実施形態の送信用光伝送装置における設定透過帯域の第三の例を表す図である。
【図１２】受信用伝送装置における一般的な設定透過帯域を表す図である。
【図１３】受信用光伝送装置における受信フィルタ処理後の一般的な受信光信号を表すイメージ図である。
【図１４】第二実施形態の受信用光伝送装置における設定透過帯域の第一の例を表す図である。
【図１５】第二実施形態の受信用光伝送装置における受信フィルタ処理後の受信光信号を表すイメージ図である。
【図１６】第二実施形態の受信用光伝送装置における設定透過帯域の第二の例を表す図である。
【図１７】第二実施形態の受信用光伝送装置における設定透過帯域の第三の例を表す図である。
【図１８】第三実施形態の光通信システムの構成例を表す概念図である。
【図１９】第三実施形態の光通信システムが備える制御部が行う処理の処理フローを表す概念図である。
【図２０】第四実施形態の光伝送装置の構成例を表す概念図である。
【図２１】実施形態の光伝送装置の最小限の構成を表すブロック図である。
【発明を実施するための形態】
【００１１】
＜第一実施形態＞
第一実施形態は、複数段の合波装置を備える光伝送装置に関する実施形態である。
［構成と動作］
図１は、第一実施形態の光伝送装置の例である光伝送装置１００ａの構成を表す概念図である。
【００１２】
光伝送装置１００ａは、ｎ台の合波装置である合波装置１０１ａ乃至１０ｎａと、合波装置１０６ａとを備える。ここで、ｎは２以上の数である。
【００１３】
合波装置１０１ａへは、ｍ台の送信器である送信器６１１乃至６１ｍの各々から送信光信号ｓ１１乃至ｓ１ｍの各々が入力される。送信光信号ｓ１１乃至ｓ１ｍは互いに異なる波長を有する光信号である。また送信光信号ｓ１１乃至ｓ１ｍは互いに異なるチャネルの光信号である。ここでチャネルとは、所定の中心周波数間隔及び周波数帯域幅で規定される波長グリッドを指す。
【００１４】
合波装置１０１ａは、送信器６１１乃至６１ｍから見て初段の合波装置である。合波装置１０１ａは、送信光信号ｓ１１乃至ｓ１ｍの各々について、それらについて設定された各設定透過帯域（周波数帯域）を透過させる送信フィルタ処理（初段送信フィルタ処理（第一フィルタ処理））を行う。当該設定透過帯域の各々は互いに重ならない。なお合波装置１０１ａはＷＳＳにより構成されてよい。また合波装置１０１ａは送信光信号ｓ１１乃至ｓ１ｍの各々が入力する複数のポートを備え、各ポートに対して各々透過帯域が設定されるようにしてもよい。
【００１５】
そして、合波装置１０１ａは、前記初段送信フィルタ処理後の各送信光信号を合波し、合波後の送信光信号である初段多重送信光信号を合波装置１０６ａに入力する。
【００１６】
合波装置１０１ａ乃至１０ｎａのうちの合波装置１０１ａ以外のものについても同様である。
【００１７】
合波装置１０６ａは、送信器６１１乃至６１ｍから見て次段の合波装置である。合波装置１０６ａは、合波装置１０１ａ乃至１０ｎａの各々から入力された、合波後の初段多重送信光信号の各々について、初段多重送信光信号の各々について設定された設定透過帯域を透過させる次段送信フィルタ処理（第二フィルタ処理）を行う。次段送信フィルタ処理に係る当該設定透過帯域の各々は互いに重ならない。なお合波装置１０６ａはＷＳＳにより構成されてよい。また合波装置１０６ａは合波装置１０１ａ乃至１０ｎａの各々から入力された、合波後の初段多重送信光信号の各々が入力する複数のポートを備え、各ポートに対して各々透過帯域が設定されるようにしてもよい。
【００１８】
ここで、本明細書において、フィルタ処理に係る「透過」は、そのフィルタ処理を行った信号の減衰量が所定の値以下であることをいうこととする。当該減衰量は、例えば、３ｄＢである。またフィルタ処理を行った信号の減衰量が所定の値以下である帯域を透過域、所定の値以上である帯域を遮断域として称してもよい。
【００１９】
次に、合波装置１０６ａは、前記次段送信フィルタ処理後の各初段多重送信光信号を合波し、合波後の次段多重送信光信号を伝送路３００ａに出力する。当該次段多重送信光信号は、図示しない受信側の光伝送装置に送信される。
【００２０】
光伝送装置１００ａにおいては、前記初段送信フィルタ処理に係る各設定透過帯域の上限及び下限の各々は、いずれも、前記次段送信フィルタ処理に係る設定透過帯域の上限及び下限の各々と重ならない。なお設定透過帯域の上限及び下限を、それぞれエッジと称してもよい。
【００２１】
ここで、本明細書において、二つの周波数が「重なる」、「一致する」及び「等しい」の各々は、二つの周波数が同一であるか又は近接していることをいうこととする。
【００２２】
図２は、図１に表す送信光信号ｓ１１乃至ｓ１ｍについて合波装置１０１ａ及び１０６ａにおいて行われる送信フィルタ処理に係る設定透過帯域例を表す概念図である。
【００２３】
図２（ａ）は、図１に表す合波装置１０１ａ、１０ｎａ及び１０６ａの各々における送信フィルタ処理に係る設定透過帯域を表す。また、図２（ｂ）は、各透過帯域が図２（ａ）に表すものである場合の、次段送信フィルタ処理後の送信光信号を表す。図２（ｃ）は、一般的な設定透過帯域の場合の、次段送信フィルタ処理後の送信光信号を表す。合波装置はフィルタ処理に係る帯域を所定の帯域単位で設定可能である。当該一般的な設定透過帯域においては、透過する送信光信号のチャネルを含み、かつ透過しない送信光信号のチャネルを含まないようフィルタ処理に係る帯域を設定する。また当該一般的な設定透過帯域においては、初段送信フィルタ処理に係る設定透過帯域である帯域４０ｍの上限と次段送信フィルタ処理に係る設定透過帯域である帯域５０１の上限とが一致している。
【００２４】
また図２（ｂ）（ｃ）は、送信光信号ｓ１１乃至ｓ１ｍの光スペクトルを示す。また送信光信号ｓ１１乃至ｓ１ｍは、それぞれ図示される帯域のチャネルの光信号である。
【００２５】
図２（ａ）に表す帯域４０１乃至４０ｍは、合波装置１０１ａにおいて、この順に送信光信号ｓ１１乃至ｓ１ｍについて設定された設定透過帯域である。帯域４０１乃至４０ｍは、それぞれ送信光信号ｓ１１乃至ｓ１ｍが有する波長を含む帯域を有する。帯域４０１乃至４０ｍは、この順に、より高い周波数帯域である。そして、帯域４０１乃至４０ｍの各々は、互いに重ならない。
【００２６】
帯域５０１は、合波装置１０６ａにおいて、合波装置１０１ａから入力される前記初段多重送信光信号について行われる前記次段送信フィルタ処理に係る設定透過帯域である。帯域５０１は、初段多重送信光信号を構成する送信光信号ｓ１１乃至ｓ１ｍが有する波長を含む帯域を有する。
【００２７】
ここで、帯域４０ｍと帯域５０１の関係について説明する。合波装置１０１ａが設定する帯域４０ｍの上限である周波数ｆ４ｍｂは、合波装置１０６ａが設定する周波数ｆ５１ｂよりも高周波数側に位置する。ここで帯域４０ｍは、合波装置１０１ａが送信光信号ｓ１ｍについて設定する設定透過帯域である。送信光信号ｓ１１乃至ｓ１ｍは合波装置１０１ａが出力する初段多重送信光信号を構成し、送信光信号ｓ１ｍは初段多重送信光信号のうち最も高周波数側のチャネルの光信号である。なお送信光信号ｓ１ｍのチャネルを、初段多重送信光信号に含まれるエッジチャネルと称してもよい。
【００２８】
以上のように、合波装置１０１ａがエッジチャネルの光信号をフィルタする帯域４０ｍのエッジは、帯域５０１より高周波数側に位置する。すなわち帯域４０ｍは帯域５０１外の帯域を含むよう設けられる。
【００２９】
ここで、合波装置１０１ａの帯域４０ｍの帯域幅について説明する。
【００３０】
図３は、帯域４０ｍの設定例を示す図である。点線でスペクトルを示す送信光信号ｓ１（ｍ＋１）は、送信光信号ｓ１１乃至ｓ１ｍから構成される初段多重光信号には含まれない光信号である。また送信光信号ｓ１（ｍ＋１）のチャネルは、送信光信号ｓ１ｍのチャネルに隣接する。図３に示すように、帯域４０ｍは、送信光信号ｓ１（ｍ＋１）のチャネル、すなわち送信光信号ｓ１ｍの隣接チャネルの少なくとも一部を含むように設定されてよい。
【００３１】
また図４は、帯域４０ｍの別の設定例を示す図である。送信光信号ｓ１ｍのチャネルの中心周波数、又は、送信光信号ｓ１ｍを透過するとして一般的に設定されるフィルタ処理に係る帯域の中心周波数をｆｃとする。なお上述のように一般的に設定されるフィルタ処理に係る帯域とは、透過する送信光信号のチャネルを含み、かつ透過しない送信光信号のチャネルを含まない帯域である。図４に示すように、例えば、帯域４０ｍは、中心周波数ｆｃの透過パワーから３ｄＢ減となる周波数を低周波、高周波それぞれを周波数ｆ１及びｆ２とする。その場合において、周波数ｆ１と周波数ｆ２と間の帯域幅をＮ［ＧＨｚ］としたときに、高周波数側Ｎ／２［ＧＨｚ］以上を含むよう上限の周波数ｆ４ｍｂが設定されてよい。
【００３２】
なお上述のように帯域４０ｍは帯域５０１外の帯域を含むように設けられればよく、帯域４０ａの帯域幅は図３又は図４に示す帯域に限定されるものではない。
【００３３】
前述の一般的な設定透過帯域の場合、図２（ｃ）に表すように、送信光信号ｓ１ｍ”における信号帯域の上限近傍の信号レベルは大きく低下する。これは、当該近傍が、初段送信フィルタ処理の影響と次段送信フィルタ処理の影響とを共に受けるためである。そのため、送信光信号ｓ１ｍ”の信号帯域は狭窄されたものとなる。
【００３４】
一方、図２（ａ）に表す本実施形態の設定透過帯域の場合、図２（ｂ）に表すように、送信光信号ｓ１ｍ”において、図２（ｃ）に表す場合のような送信光信号ｓ１ｍ”の信号帯域の狭窄は見られない。これは、送信光信号ｓ１ｍ”の信号帯域の上限が、次段送信フィルタ処理に係る帯域５０１の上限である周波数ｆ５１ｂで決まり、初段送信フィルタ処理に係る帯域４０ｍの上限である周波数ｆ４ｍｂの影響を受けないためである。
【００３５】
なお上述の説明では、エッジチャネルの送信光信号ｓ１ｍが初段多重送信光信号のうち最も高周波数側の光信号であると説明したが、最も低周波数側の光信号であっても同様の構成が適用可能である。
【００３６】
なお、光伝送装置１００ａは、ＯＣＩ（Ｏｐｅｎ  Ｃａｂｌｅ  Ｉｎｔｅｒｆａｃｅ）として構成されてもよい。このとき光伝送装置１００ａに接続する送信器６１１乃至６１ｍは異なる複数のベンダにより製造されたものであってもよい。
【００３７】
また、本実施形態の光伝送装置は、三段以上の合波装置を備えても構わない。
【００３８】
また、本実施形態の光伝送装置は、三段以上の送信フィルタ処理を行うものであっても構わない。その場合、当該光伝送装置においては、各段の送信フィルタ処理に係る設定透過帯域の下限及び上限がいずれも互いに重ならないように、送信フィルタ処理に係る設定透過帯域が設定されている。
［効果］
第一実施形態の光伝送装置においては、初段送信フィルタ処理に係る各設定透過帯域の下限及び上限のいずれもが次段送信フィルタ処理に係る設定透過帯域の下限及び上限のいずれとも重ならない。特に初段多重送信光信号のうちエッジチャネルの光信号について初段送信フィルタ処理に係る透過帯域と次段送信フィルタ処理に係る透過帯域の下限及び上限が重ならない。そのため、前記光伝送装置から出力される多重送信光信号に含まれる各送信光信号の信号帯域の上限及び上限のいずれもが、初段送信フィルタ処理か次段送信フィルタ処理かのいずれか一方により定められたものである。すなわち、前記上限及び下限のいずれもが、初段送信フィルタ処理と次段送信フィルタ処理とにより二重の送信フィルタ処理の影響を受けない。そのため、前記光伝送装置は、二重の送信フィルタ処理による送信光信号の信号帯域の狭窄を抑制し得る。
＜第二実施形態＞
第二実施形態は、送信側と受信側の光伝送装置を備える光通信システムに関する実施形態である。
［構成と動作］
図５は第二実施形態の光通信システムの例である光通信システム８００の構成を表す概念図である。
【００３９】
光通信システム８００は、送信側光伝送装置１００と、受信側光伝送装置２００と、伝送路３００とを備える。
【００４０】
送信側光伝送装置１００及び受信側光伝送装置２００の各々は、ＯＣＩ（Ｏｐｅｎ  Ｃａｂｌｅ  Ｉｎｔｅｒｆａｃｅ）として構成されてもよい。
【００４１】
送信側光伝送装置１００は、ｎ台の光合波装置であるＷＳＳ＿ＣＨ＿ＭＵＸ１０１乃至１０ｎと、光合波装置であるＷＳＳ＿Ｂａｎｄ＿ＭＵＸ１０６とを備える。
【００４２】
ＷＳＳ＿ＣＨ＿ＭＵＸ１０１には、ｍ台の送信器である送信器Ｔ１１乃至Ｔ１ｍの各々から、送信光信号ｔ１１乃至ｔ１ｍの各々が入力される。
【００４３】
ＷＳＳ＿ＣＨ＿ＭＵＸ１０１は、送信器Ｔ１１乃至Ｔ１ｍから見て初段の合波装置である。ＷＳＳ＿ＣＨ＿ＭＵＸ１０１は、送信光信号ｔ１１乃至ｔ１ｍの各々について、各送信光信号について設定された各設定透過帯域を透過させる前述の初段送信フィルタ処理を行う。当該設定透過帯域の各々は互いに重ならないように設定されている。
【００４４】
そして、合波装置１０１ａは、前記初段送信フィルタ処理後の各送信光信号を合波し、合波後の送信光信号である初段多重送信光信号をＷＳＳ＿Ｂａｎｄ＿ＭＵＸ１０６に入力する。
【００４５】
ＷＳＳ＿ＣＨ＿ＭＵＸ１０２乃至１０ｎについても同様である。
【００４６】
ＷＳＳ＿Ｂａｎｄ＿ＭＵＸ１０６は、送信器Ｔ１１乃至Ｔｎｍから見て次段の合波装置である。ＷＳＳ＿Ｂａｎｄ＿ＭＵＸ１０６は、ＷＳＳ＿ＣＨ＿ＭＵＸ１０１乃至１０ｎの各々から入力された、前記初段多重送信光信号の各々について、初段多重送信光信号の各々について設定された設定透過帯域を透過させる次段送信フィルタ処理を行う。次段送信フィルタ処理に係る当該設定透過帯域の各々は互いに重ならないように設定されている。
【００４７】
そして、ＷＳＳ＿Ｂａｎｄ＿ＭＵＸ１０６は、前記次段送信フィルタ処理後の各初段多重送信光信号を合波し、合波後の次段多重送信光信号を伝送路３００に入力する。当該次段多重送信光信号は、受信側光伝送装置２００に向けて送付される。
【００４８】
送信側光伝送装置１００においては、前記初段送信フィルタ処理に係る各設定透過帯域の上限及び下限の各々は、いずれも、前記次段送信フィルタ処理に係る設定透過帯域の上限及び下限の各々と重ならないように設定されている。
【００４９】
受信側光伝送装置２００は、光分波装置であるＷＳＳ＿Ｂａｎｄ＿ＤＥＭＵＸ２０６と、ｎ台の光分波装置であるＷＳＳ＿ＣＨ＿ＤＥＭＵＸ２０１乃至２０ｎとを備える。
【００５０】
ＷＳＳ＿Ｂａｎｄ＿ＤＥＭＵＸ２０６には、伝送路３００を通じて、送信側光伝送装置１００より、初段多重受信光信号が入力される。当該初段多重受信光信号は、送信側光伝送装置１００から送信され、伝送路３００を経由した後の、前述の次段多重送信光信号である。
【００５１】
ＷＳＳ＿Ｂａｎｄ＿ＤＥＭＵＸ２０６は、伝送路３００から見て、初段の分波装置である。
【００５２】
ＷＳＳ＿Ｂａｎｄ＿ＤＥＭＵＸ２０６は、入力された初段多重受信光信号を、ｎ個の信号帯域の光信号である初段分波後受信光信号に分波する。
【００５３】
ＷＳＳ＿Ｂａｎｄ＿ＤＥＭＵＸ２０６は、前記初段分波後受信光信号の各々について、前記初段分波後受信光信号について設定された各設定透過帯域を透過させるフィルタ処理（初段受信フィルタ処理）を行う。当該設定透過帯域の各々は互いに重ならないように設定されている。
【００５４】
そして、前記初段受信フィルタ処理が行われた前記初段分波後受信光信号である次段受信多重光信号の各々は、その設定透過帯域に応じて、ＷＳＳ＿ＣＨ＿ＤＥＭＵＸ２０１乃至２０ｎの対応する各々に入力される。
【００５５】
ＷＳＳ＿ＣＨ＿ＤＥＭＵＸ２０１は、ＷＳＳ＿Ｂａｎｄ＿ＤＥＭＵＸ２０６から入力された次段多重受信光信号を、ｍ個の信号帯域の受信光信号に分波する。
【００５６】
分波された各受信光信号は、各受信光信号について設定された設定透過帯域の次段受信フィルタ処理により、受信光信号ｒ１１乃至ｒ１ｍの各々になる。受信光信号ｒ１１乃至ｒ１ｍの各々は、この順に、送信光信号ｔ１１乃至ｔ１ｍの各々に対応する光信号である。
【００５７】
受信光信号ｒ１１乃至ｒ１ｍの各々は、この順に、受信器Ｒ１１乃至Ｒ１ｍの各々に入力される。
【００５８】
ＷＳＳ＿ＣＨ＿ＤＥＭＵＸ２０２乃至２０ｎについても同様である。
【００５９】
受信側光伝送装置２００においては、前記初段受信フィルタ処理に係る各設定透過帯域の各エッジは、いずれも、前記次段送信フィルタ処理に係る各設定透過帯域の各エッジと重ならないように設定されている。
【００６０】
次に、第二実施形態の送信フィルタ処理の動作を、一般的な場合と対比することにより、説明する。
【００６１】
図６は、初段送信フィルタ処理及び次段送信フィルタ処理に係る、一般的な設定透過帯域を表す図である。図６（ａ’）は、図５に表す送信光信号ｔ１１乃至ｔｎｍを表す。また、図６（ｂ）は、図６（ａ）に表す破線で囲まれた部分の拡大図である。また、図６（ｃ）は、図６（ｂ）に表す設定透過帯域の初段送信フィルタ処理及び次段送信フィルタ処理を受けた後の送信光信号を表すイメージ図である。
【００６２】
以下の説明において、帯域４ｓ１１乃至４ｓ１ｍの各々は、ＷＳＳ＿ＣＨ＿ＭＵＸ１０１において送信光信号ｔ１１乃至ｔ１ｍの各々について行われる前述の初段送信フィルタ処理に係る前記設定透過帯域を表す。帯域４ｓ２１乃至４ｓ２ｍ及び帯域４ｓｎ１乃至４ｓｎｍについても同様である。
【００６３】
また、以下の説明において、帯域５ｓ１乃至５ｓｎの各々は、前記次段送信フィルタ処理に係る設定透過帯域を表す。当該次段送信フィルタ処理は、図５に表すＷＳＳ＿Ｂａｎｄ＿ＭＵＸ１０６において、前記初段送信フィルタ処理を行った送信光信号ｔ１１乃至ｔ１ｍを合波した初段多重送信光信号について行われるものである。
【００６４】
波長利用効率の向上のために各送信光信号のチャネルは隣接することが望ましく、図６に示す送信光信号ｔ１１乃至ｔ１ｍ、ｔ２１乃至ｔ２ｍ、ｔ３１乃至ｔ３ｍのチャネルは互いに隣接する。特に、送信光信号ｔ１ｍとｔ２１はそれぞれ異なる初段多重光信号を構成する光信号であるが、互いに隣接するチャネルの光信号となっている。
【００６５】
図６（ａ）及び（ｂ）に表すように、帯域４ｓ１ｍの上限である周波数ｆ４ｓ１ｍｂは、帯域５ｓ１の上限である周波数ｆ５ｓ１ｂとほぼ一致している。また、帯域４ｓ２１の下限である周波数ｆ４ｓ２１ａは、帯域５ｓ２の下限である周波数ｆ５ｓ２ａとほぼ一致している。
【００６６】
また、図６（ａ）に表すように、帯域５ｓ２の上限である周波数ｆ５ｓ２ｂと帯域４ｓ２ｍの上限とは略一致している。また、帯域５ｓｎの下限である周波数ｆ５ｓｎａは、帯域４ｓｎ１の下限と略一致している。
【００６７】
図６（ａ）に図示を省略した他の設定透過帯域についても同様である。
【００６８】
なお、帯域５ｓ１の下限である周波数ｆ５ｓ１ａは、帯域４ｓ１１の下限よりも低周波数側に設定されている。また、帯域５ｓｎの上限である周波数ｆ５ｓｎｂは帯域４ｓｎｍよりも高周波数側に設定されている。
【００６９】
図６（ｃ）に表す送信光信号ｔ１ｍ”は、設定透過帯域を帯域４ｓ１ｍとする前記初段送信フィルタ処理と設定透過帯域を帯域５ｓ１とする前記次段送信フィルタ処理とを行った図５に表す送信光信号ｔ１ｍである。
【００７０】
送信光信号ｔ１ｍ”の信号帯域の上限近傍の信号強度は、当該初段送信フィルタ処理と当該次段送信フィルタ処理の影響を共に受けるため顕著に低下している。そのため、送信光信号ｔ１ｍ”の信号帯域は顕著に狭窄されたものとなっている。
【００７１】
また、送信光信号ｔ２１”は、設定透過帯域を帯域４ｓ２１とする前記初段送信フィルタ処理と設定透過帯域を帯域５ｓ２とする前記次段送信フィルタ処理とを行った図５に表す送信光信号ｔ２１である。
【００７２】
送信光信号ｔ２１”の信号帯域の下限近傍の信号強度は、当該初段送信フィルタ処理と当該次段送信フィルタ処理の影響を共に受けるため顕著に低下している。そのため、送信光信号ｔ２１”の信号帯域は顕著に狭窄されたものとなっている。
【００７３】
図７は、図５に表す送信側光伝送装置１００において図６に表す設定透過帯域の設定が行われた場合の各段の送信フィルタ処理後の送信光信号を表すイメージ図である。
【００７４】
図７に表す各信号の横軸は周波数であり、縦軸は信号強度である。
【００７５】
図５に表す送信光信号ｔ１２は、前記設定透過帯域を帯域４ｓ１２とする初段送信フィルタ処理により、帯域４ｓ１２に等しい信号帯域の送信光信号ｔ１２’になる。
【００７６】
次段送信フィルタ処理に係る設定透過帯域である帯域５ｓ１は送信光信号ｔ１２’の信号帯域を包含する。そのため、次段送信フィルタ処理後の送信光信号ｔ１２”の信号帯域は、送信光信号ｔ１２’と同じである。
【００７７】
送信光信号ｔ１ｍの信号帯域の上限は、帯域５ｓ１の上限より高周波数側にある。そのため、初段受信フィルタ処理後の送信光信号ｔ１ｍ’の信号帯域の上限は、帯域５ｓ１の上限になる。
【００７８】
一方、送信光信号ｔ１ｍの信号帯域の下限は、帯域５ｓ１内にある。そのため、初段受信フィルタ処理後の送信光信号ｔ１ｍ’の信号帯域下限近傍の形状は、送信光信号ｔ１ｍの信号帯域の下限近傍の形状に等しくなる。また、送信光信号ｔ１ｍ’の信号帯域上限は、前記設定透過帯域を帯域５ｓ１とする初段送信フィルタ処理により、帯域５ｓ１の上限に等しくなる。
【００７９】
次段送信フィルタ処理に係る設定透過帯域である帯域５ｓ１の上限は、帯域４ｓ１ｍの上限と一致している。そのため、次段送信フィルタ処理後の送信光信号ｔ１ｍ”の信号帯域の高周波数側の信号レベルは、次段送信フィルタ処理によりさらに低下している。そのため、送信光信号ｔ１ｍ”は、送信光信号ｔ１２”と比較して、顕著に狭窄された信号帯域のものとなっている。
【００８０】
送信光信号ｔ２１は、前記設定透過帯域を帯域４ｓ２１とする初段送信フィルタ処理により、帯域４ｓ２１に等しい信号帯域の送信光信号ｔ２１’になる。
【００８１】
次段送信フィルタ処理に係る設定透過帯域である帯域５ｓ２の下限は、帯域４ｓ２１の下限と一致している。そのため、次段送信フィルタ処理後の送信光信号ｔ２１”の信号帯域の低周波数側の信号レベルは、次段送信フィルタ処理によりさらに低下している。そのため、送信光信号ｔ２１”は、送信光信号ｔ１２”と比較して、顕著に狭窄された信号帯域のものとなっている。
【００８２】
図７を参照して説明したように、図６に表す設定透過帯域の設定が行われた場合、次段送信フィルタ処理後の送信光信号の信号帯域は、顕著に狭窄されたものになり得る。
【００８３】
次に、第二実施形態の場合について説明する。
【００８４】
図８は、初段送信フィルタ処理及び次段送信フィルタ処理に係る設定透過帯域の、第二実施形態の例を表す図である。図８（ａ’）は、図５に表す送信光信号ｔ１１乃至ｔｎｍを表す。また、図８（ｂ）は、図８（ａ）に表す破線で囲まれた部分の拡大図である。また、図８（ｃ）は、図８（ｂ）に表す設定透過帯域の初段送信フィルタ処理及び次段送信フィルタ処理を受けた後の送信光信号を表すイメージ図である。
【００８５】
図８（ａ）及び（ｂ）に表すように、帯域４ｓ１ｍの上限である周波数ｆ４ｓ１ｍｂは、帯域５ｓ１の上限である周波数ｆ５ｓ１ｂよりも高周波数側に設定されている。また、帯域４ｓ２１の下限である周波数ｆ４ｓ２１ａは、帯域５ｓ２の下限である周波数ｆ５ｓ２ａよりも低周波数側に設定されている。
【００８６】
また、図８（ａ）に表すように、帯域４ｓ２ｍの上限は、帯域５ｓ２の上限である周波数ｆ５ｓ２ｂよりも高周波数側に設定されている。また、帯域４ｓｎ１の下限は、帯域５ｓｎの下限である周波数ｆ５ｓｎａよりも低周波数側に設定されている。
【００８７】
図８（ａ）において図示を省略してある他の設定透過帯域についても同様である。
【００８８】
なお、帯域５ｓ１の下限である周波数ｆ５ｓ１ａは、帯域４ｓ１１の下限よりも低周波数側に設定されている。また、帯域５ｓｎの上限である周波数ｆ５ｓｎｂは帯域４ｓｎｍよりも高周波数側に設定されている。
【００８９】
図８（ｃ）に表す光信号ｔ１ｍ”は、設定透過帯域を帯域４ｓ１ｍとする前記初段送信フィルタ処理と設定透過帯域を帯域５ｓ１とする前記次段送信フィルタ処理とを行った図５に表す光信号ｔ１ｍである。
【００９０】
光信号ｔ１ｍ”の信号帯域の上限近傍の信号強度は、当該次段送信フィルタ処理の影響は受けるが、当該初段送信フィルタ処理の影響は受けない。また、光信号ｔ１ｍ”の信号帯域の下限近傍の信号強度は、当該初段送信フィルタ処理の影響は受けるが、当該次段送信フィルタ処理の影響は受けない。そのため、光信号ｔ１ｍ”の信号帯域の上限近傍及び下限近傍の信号強度は、初段送信フィルタ処理の影響と次段送信フィルタ処理の影響を共に受けることによる顕著な低下がない。そのため、光信号ｔ１ｍ”の信号帯域は、図６に表す光信号ｔ１ｍ”の信号帯域のように狭窄されたものとはならない。
【００９１】
また、送信光信号ｔ２１”は、設定透過帯域を帯域４ｓ２１とする前記初段送信フィルタ処理と設定透過帯域を帯域５ｓ２とする前記次段送信フィルタ処理とを行った図５に表す送信光信号ｔ２１である。
【００９２】
送信光信号ｔ２１”の信号帯域の上限近傍の信号強度は、当該初段送信フィルタ処理の影響は受けるが、当該次段送信フィルタ処理の影響は受けない。また、送信光信号ｔ２１”の信号帯域の下限近傍の信号強度は、当該次段送信フィルタ処理の影響は受けるが、当該初段送信フィルタ処理の影響は受けない。そのため、送信光信号ｔ２１”の信号帯域の上限近傍及び下限近傍の信号強度は、初段送信フィルタ処理の影響と次段送信フィルタ処理の影響を共に受けることによる顕著な低下がない。そのため、送信光信号ｔ２１”の信号帯域は、図６に表す送信光信号ｔ２１”の信号帯域のように狭窄されたものとはならない。
【００９３】
図８に表す設定透過帯域の設定を行った場合には、初段送信フィルタ処理に係る設定透過帯域のエッジのいずれもが、次段送信フィルタ処理に係る設定透過帯域のエッジのいずれとも重ならない。そのため、同場合には、図７に表す送信光信号ｔ１ｍ”及びｔ２１”で生じているような、信号帯域の狭窄は生じない。
【００９４】
図９は、図５に表す送信側光伝送装置１００において図８に表す設定透過帯域の設定が行われた場合の各段の送信フィルタ処理後の送信光信号を表すイメージ図である。
【００９５】
図９に表す各信号の横軸は周波数であり、縦軸は信号強度である。
【００９６】
図９に表す送信光信号ｔ１２は、前記設定透過帯域を帯域４ｓ１２とする初段送信フィルタ処理により、帯域４ｓ１２に等しい信号帯域の送信光信号ｔ１２’になる。
【００９７】
次段送信フィルタ処理に係る設定透過帯域である帯域５ｓ１は送信光信号ｔ１２’の信号帯域を包含する。そのため、次段送信フィルタ処理後の送信光信号ｔ１２”の信号帯域は、送信光信号ｔ１２’と同じである。
【００９８】
また、送信光信号ｔ１ｍの信号帯域の下限は、前記設定透過帯域を帯域４ｓ１ｍとする初段送信フィルタ処理により、帯域４ｓ１ｍの下限と一致する。
【００９９】
一方、帯域４ｓ１ｍの上限は送信光信号ｔ１ｍの信号帯域の上限より高周波数側に設定されている。そのため、送信光信号ｔ１ｍの信号帯域上限近傍の形状は初段送信フィルタ処理の影響を受けない。そのため、送信光信号ｔ１ｍの信号帯域の上限近傍はの形状は、初段送信フィルタ処理後の送信光信号ｔ１ｍ’の信号帯域上限近傍の形状に等しくなる。
【０１００】
送信光信号ｔ１ｍ’の信号帯域下限近傍は、帯域５ｓ１内なので、次段送信フィルタ処理の影響を受けない。そのため、次段送信フィルタ処理後の送信光信号ｔ１ｍ”の信号帯域下限近傍の形状は、送信光信号ｔ１ｍ’の信号帯域下限近傍の形状と等しくなる。
【０１０１】
一方、送信光信号ｔ１ｍ’の信号帯域上限近傍は、帯域５ｓ１の上限よりも高周波数側である。そのため、送信光信号ｔ１ｍ”の上限は、次段送信フィルタ処理により帯域５ｓ１の上限に等しくなる。
【０１０２】
こうして、次段送信フィルタ処理後の送信光信号ｔ１ｍ”の信号帯域は帯域４ｓ１ｍの下限と帯域５ｓ１の上限とにより設定されたものとなる。また、送信光信号ｔ１ｍ’の信号帯域上限近傍の形状は、次段送信フィルタ処理による影響は受けているが、初段送信フィルタ処理の影響を受けていない。そのため、送信光信号ｔ１ｍ”の信号帯域上限近傍の形状には、初段送信フィルタ処理の影響と次段送信フィルタ処理による影響を二重に受けることにより生じる、図７に表す送信光信号ｔ１ｍ”において生じているような顕著な信号強度の低下が生じない。
【０１０３】
一方、送信光信号ｔ２１の信号帯域の上限は、帯域４ｓ２１の上限よりも高周波数側にある。そのため、送信光信号ｔ２１の信号帯域の上限は、前記設定透過帯域を帯域４ｓ２１とする初段送信フィルタ処理により、帯域４ｓ２１の上限と一致する。
【０１０４】
一方、帯域４ｓ２１の下限は送信光信号ｔ２１の信号帯域の下限より低周波数側に設定されている。そのため、送信光信号ｔ２１の信号帯域下限近傍の形状は初段送信フィルタ処理の影響を受けない。そのため、送信光信号ｔ２１’の信号帯域下限近傍の形状と、初段送信フィルタ処理後の送信光信号ｔ２１の信号帯域下限近傍の形状とは一致する。
【０１０５】
送信光信号ｔ２１’の信号帯域の下限は、帯域５ｓ１の下限より低周波数側に設定されている。そのため、次段送信フィルタ処理後の送信光信号ｔ２１”の信号帯域下限近傍の形状は、帯域５ｓ１の下限近傍の形状と等しくなる。
【０１０６】
一方、送信光信号ｔ２１’の信号帯域上限近傍の形状は、帯域５ｓ１内に設定されている。そのため、次段送信フィルタ処理後の送信光信号ｔ２１”の信号帯域上限近傍の形状は、送信光信号ｔ２１’の信号帯域上限近傍の形状に等しくなる。
【０１０７】
こうして、次段送信フィルタ処理後の送信光信号ｔ２１”の信号帯域は帯域４ｓ２１の上限と帯域５ｓ１の下限とにより設定されたものとなる。また、送信光信号ｔ２１”の信号帯域下限近傍の信号強度は、次段送信フィルタ処理による影響は受けているが、初段送信フィルタ処理の影響を受けていない。そのため、送信光信号ｔ２１”の信号帯域上限近傍の形状は、初段送信フィルタ処理の影響と次段送信フィルタ処理による影響を二重に受けることにより生じる、図７に表す送信光信号ｔ２１”において生じている信号強度の顕著な低下が生じない。
【０１０８】
上記の説明では、送信光信号ｔ１ｍとｔ２１とが互いに隣接するチャネルの光信号であるとして説明した。ここで、送信光信号ｔ１ｍとｔ２１とが互いに隣接しないチャネルである場合の設定例について説明する。図１０は、初段送信フィルタ処理及び次段送信フィルタ処理に係る設定透過帯域の、第二実施形態の第二の設定例を表す図である。図１０（ａ’）は、図５に表す送信光信号ｔ１１乃至ｔｎｍを表す。また、図１０（ｂ）は、図１０（ａ）に表す破線で囲まれた部分の拡大図である。また、図１０（ｃ）は、図１０（ｂ）に表す設定透過帯域の初段送信フィルタ処理及び次段送信フィルタ処理を受けた後の送信光信号を表すイメージ図である。
【０１０９】
図１０（ａ’）に示すように、送信光信号ｔ１ｍと送信光信号ｔ２１は、互いに隣接するチャネルのものではなく、二つの送信光信号の間にいずれのチャネルにも属しない帯域幅が存在する。当該帯域幅として、例えば、図１０（ａ’）に示すように送信光信号の伝送に使用しない空チャネルが存在する。なお説明のために、図１０（ａ’）では空チャネルを送信光信号ｔ１（ｍ＋１）のチャネルとして図示している。送信光信号ｔ１（ｍ＋１）は実際には使用されない送信光信号であり、ＷＳＳ＿Ｂａｎｄ＿ＭＵＸ１０６に入力しない光信号である。なお、前記空チャネルの帯域幅は、図示するような、他の受信光信号と等しい帯域幅の場合に限られない。
【０１１０】
図１０（ａ）及び（ｂ）に表すように、帯域４ｓ１ｍの上限である周波数ｆ４ｓ１ｍｂは、帯域５ｓ１の上限である周波数ｆ５ｓ１ｂよりも高周波数側に設定されている。また、帯域４ｓ２１の下限である周波数ｆ４ｓ２１ａは、帯域５ｓ２の下限である周波数ｆ５ｓ２ａよりも高周波数側に設定されている。
【０１１１】
また、図１０（ａ）に表すように、帯域４ｓ２ｍの上限は、帯域５ｓ２の上限である周波数ｆ５ｓ２ｂよりも高周波数側に設定されている。また、帯域４ｓｎ１の下限は、帯域５ｓｎの下限である周波数ｆ５ｓｎａよりも高周波数側に設定されている。
【０１１２】
図１０（ａ）に図示を省略した他の設定透過帯域についても同様である。
【０１１３】
なお、帯域５ｓ１の下限である周波数ｆ５ｓ１ａは、帯域４ｓ１１の下限よりも低周波数側に設定されている。また、帯域５ｓｎの上限である周波数ｆ５ｓｎｂは帯域４ｓｎｍの上限よりも高周波数側に設定されている。
【０１１４】
図１０（ｃ）に表す光信号ｔ１ｍ”は、設定透過帯域を帯域４ｓ１ｍとする前記初段送信フィルタ処理と設定透過帯域を帯域５ｓ１とする前記次段送信フィルタ処理とを行った図５に表す光信号ｔ１ｍである。
【０１１５】
光信号ｔ１ｍ”の信号帯域の上限近傍の信号強度は、当該次段送信フィルタ処理の影響は受けるが、当該初段送信フィルタ処理の影響は受けない。また、光信号ｔ１ｍ”の信号帯域の下限近傍の信号強度は、当該初段送信フィルタ処理の影響は受けるが、当該次段送信フィルタ処理の影響は受けない。そのため、光信号ｔ１ｍ”の信号帯域の上限近傍及び下限近傍の信号強度は、初段送信フィルタ処理の影響と次段送信フィルタ処理の影響を共に受けることによる顕著な低下がない。そのため、光信号ｔ１ｍ”の信号帯域は、図６に表す光信号ｔ１ｍ”の信号帯域のように狭窄されたものとはならない。
【０１１６】
また、送信光信号ｔ２１”は、設定透過帯域を帯域４ｓ２１とする前記初段送信フィルタ処理と設定透過帯域を帯域５ｓ２とする前記次段送信フィルタ処理とを行った図５に表す送信光信号ｔ２１である。
【０１１７】
送信光信号ｔ２１”の信号帯域の上限近傍及び下限近傍の信号強度は、いずれも、当該初段送信フィルタ処理の影響は受けるが、当該次段送信フィルタ処理の影響は受けない。そのため、送信光信号ｔ２１”の信号帯域の上限近傍及び下限近傍の信号強度は、初段送信フィルタ処理の影響と次段送信フィルタ処理の影響を共に受けることによる顕著な低下がない。そのため、送信光信号ｔ２１”の信号帯域は、図６に表す送信光信号ｔ２１”の信号帯域のように狭窄されたものとはならない。
【０１１８】
図１０に表す設定透過帯域の設定を行った場合には、初段送信フィルタ処理に係る設定透過帯域のエッジのいずれもが、次段送信フィルタ処理に係る設定透過帯域のエッジのいずれとも重ならない。そのため、同場合には、図７に表す送信光信号ｔ１ｍ”及びｔ２１”で生じているような、信号帯域の狭窄は生じない。
【０１１９】
図１１は、初段送信フィルタ処理及び次段送信フィルタ処理に係る設定透過帯域の、第二実施形態の第三の設定例を表す図である。図１１（ａ’）は、図５に表す送信光信号ｔ１１乃至ｔｎｍを表す。図１１（ｂ）は、図１１（ａ）に表す破線で囲まれた部分の拡大図である。また、図８（ｃ）は、図８（ｂ）に表す設定透過帯域の初段送信フィルタ処理及び次段送信フィルタ処理を受けた後の送信光信号を表すイメージ図である。
【０１２０】
図１１（ａ’）に示すように、送信光信号ｔ１ｍと送信光信号ｔ２１とは、互いに隣接するチャネルのものではなく、二つの送信光信号の間にいずれのチャネルにも属しない帯域幅が存在する。当該帯域幅として、例えば、図１１（ａ’）に示すように送信光信号の伝送に使用しない空チャネルが存在する。なお説明のために、図１１（ａ’）では空チャネルを送信光信号ｔ１（ｍ＋１）のチャネルとして図示している。送信光信号ｔ１（ｍ＋１）は実際には使用されない送信光信号であり、ＷＳＳ＿Ｂａｎｄ＿ＭＵＸ１０６に入力しない光信号である。なお、前記空チャネルの帯域幅は、図示するような、他の受信光信号と等しい帯域幅の場合に限られない。
【０１２１】
図１１（ａ）及び（ｂ）に表すように、帯域４ｓ１ｍの上限である周波数ｆ４ｓ１ｍｂは、帯域５ｓ１の上限である周波数ｆ５ｓ１ｂよりも低周波数側に設定されている。また、帯域４ｓ２１の下限である周波数ｆ４ｓ２１ａは、帯域５ｓ２の下限である周波数ｆ５ｓ２ａよりも低周波数側に設定されている。
【０１２２】
また、図１１（ａ）に表すように、帯域４ｓ２ｍの上限は、帯域５ｓ２の上限である周波数ｆ５ｓ２ｂよりも低周波数側に設定されている。また、帯域４ｓｎ１の下限は、帯域５ｓｎの下限である周波数ｆ５ｓｎａよりも高周波数側に設定されている。
【０１２３】
図１１（ａ）に図示を省略した他の設定透過帯域についても同様である。
【０１２４】
なお、帯域５ｓ１の下限である周波数ｆ５ｓ１ａは、帯域４ｓ１１の下限よりも低周波数側に設定されている。また、帯域５ｓｎの上限である周波数ｆ５ｓｎｂは帯域４ｓｎｍの上限よりも高周波数側に設定されている。
【０１２５】
図１１（ｃ）に表す光信号ｔ１ｍ”は、設定透過帯域を帯域４ｓ１ｍとする前記初段送信フィルタ処理と設定透過帯域を帯域５ｓ１とする前記次段送信フィルタ処理とを行った図５に表す光信号ｔ１ｍである。
【０１２６】
光信号ｔ１ｍ”の信号帯域の上限近傍及び下限近傍の信号強度は、いずれも、当該初段送信フィルタ処理の影響は受けるが、当該次段送信フィルタ処理の影響は受けない。そのため、光信号ｔ１ｍ”の信号帯域の上限近傍及び下限近傍の信号強度は、初段送信フィルタ処理の影響と次段送信フィルタ処理の影響を共に受けることによる顕著な低下がない。そのため、光信号ｔ１ｍ”の信号帯域は、図６に表す光信号ｔ１ｍ”の信号帯域のように狭窄されたものとはならない。
【０１２７】
また、送信光信号ｔ２１”は、設定透過帯域を帯域４ｓ２１とする前記初段送信フィルタ処理と設定透過帯域を帯域５ｓ２とする前記次段送信フィルタ処理とを行った図５に表す送信光信号ｔ２１である。
【０１２８】
送信光信号ｔ２１”の信号帯域の上限近傍の信号強度は、当該初段送信フィルタ処理の影響は受けるが、当該次段送信フィルタ処理の影響は受けない。また、送信光信号ｔ２１”の信号帯域の下限近傍の信号強度は、当該次段送信フィルタ処理の影響は受けるが、当該初段送信フィルタ処理の影響は受けない。そのため、送信光信号ｔ２１”の信号帯域の上限近傍及び下限近傍の信号強度は、初段送信フィルタ処理の影響と次段送信フィルタ処理の影響を共に受けることによる顕著な低下がない。そのため、送信光信号ｔ２１”の信号帯域は、図６に表す送信光信号ｔ２１”の信号帯域のように狭窄されたものとはならない。
【０１２９】
図１１に表す設定透過帯域の設定を行った場合には、初段送信フィルタ処理に係る設定透過帯域のエッジのいずれもが、次段送信フィルタ処理に係る設定透過帯域のエッジのいずれとも重ならない。そのため、同場合には、図７に表す送信光信号ｔ１ｍ”及びｔ２１”で生じているような、信号帯域の狭窄は生じない。
【０１３０】
次に、図５に表す受信側光伝送装置２００で行われる受信フィルタ処理の動作を、一般的な設定透過帯域の場合と、第二実施形態の設定透過帯域の場合とを対比することにより説明する。
【０１３１】
まず、一般的な場合について説明する。
【０１３２】
図１２は、初段受信フィルタ処理及び次段受信フィルタ処理に係る一般的な設定透過帯域を表す概念図である。図１２（ａ’）は、前記初段多重受信光信号における各受信光信号を表す。図５に表す送信光信号ｔ１１乃至ｔｎｍを表す。図１２（ｂ）は、図１２（ａ）に表す破線で囲まれた部分の拡大図である。図１２（ｂ）は、図８（ａ）に表す破線で囲まれた部分の拡大図である。また、図１２（ｃ）は、図１２（ｂ）に表す設定透過帯域の初段送信フィルタ処理及び次段送信フィルタ処理を受けた後の受信光信号を表すイメージ図である。
【０１３３】
以下の説明において、帯域５ｒ１乃至５ｒｎの各々は、前記次段多重受信光信号の各々について行われる、前記初段受信フィルタ処理に係る設定透過帯域である。当該次段多重受信光信号は、図５に表すＷＳＳ＿Ｂａｎｄ＿ＤＥＭＵＸ２０６において、前述の初段多重受信光信号を分波することにより得られたものである。
【０１３４】
また、以下の説明において、帯域４ｒ１１乃至４ｒ１ｍの各々は、前述の次段受信フィルタ処理に係る前記設定透過帯域を表す。当該次段受信フィルタ処理は、ＷＳＳ＿ＣＨ＿ＤＥＭＵＸ２０１において、前記次段多重受信光信号を分波することにより得られた受信光信号の各々について行われるものである。帯域４ｒ２１乃至４ｒ２ｍ及び帯域４ｒｎ１乃至４ｒｎｍについても同様である。
【０１３５】
図１２（ａ）及び（ｂ）に表すように、帯域４ｒ１ｍの上限である周波数ｆ４ｒ１ｍｂは、帯域５ｒ１の上限である周波数ｆ５ｒ１ｂとほぼ一致している。また、帯域４ｒ２１の下限である周波数ｆ４ｒ２１ａは、帯域５ｒ２の下限である周波数ｆ５ｒ２ａとほぼ一致している。
【０１３６】
図１２（ａ）に表すように、帯域５ｒ２の上限である周波数ｆ５ｒ２ｂと帯域４ｒ２ｍの上限とは略一致している。また、帯域５ｒｎの下限である周波数ｆ５ｒｎａは、帯域４ｒｎ１の下限と略一致している。
【０１３７】
図１２（ａ）に図示を省略した他の設定透過帯域についても同様である。
【０１３８】
なお、帯域５ｒ１の下限である周波数ｆ５ｒ１ａは、帯域４ｒ１１の下限よりも低周波数側に設定されている。また、帯域５ｒｎの上限である周波数ｆ５ｒｎｂは帯域４ｒｎｍよりも高周波数側に設定されている。
【０１３９】
図１２（ｃ）に表す受信光信号ｒ１ｍは、設定透過帯域を帯域４ｓ１ｍとする前記初段送信フィルタ処理と設定透過帯域を帯域５ｓ１とする前記次段受信フィルタ処理とを行った図５に表す受信光信号ｒ１ｍである。
【０１４０】
受信光信号ｒ１ｍの信号帯域の上限近傍の信号強度は、当該初段送信フィルタ処理と当該次段受信フィルタ処理の影響を共に受けるため顕著に低下している。そのため、受信光信号ｒ１ｍの信号帯域は狭窄されたものとなっている。
【０１４１】
また、受信光信号ｒ２１は、設定透過帯域を帯域４ｓ２１とする前記初段送信フィルタ処理と設定透過帯域を帯域５ｓ２とする前記次段受信フィルタ処理とを行った図５に表す受信光信号ｒ２１である。
【０１４２】
受信光信号ｒ２１の信号帯域の下限近傍の信号強度は、当該初段送信フィルタ処理と当該次段受信フィルタ処理の影響を共に受けるため顕著に低下している。そのため、受信光信号ｒ２１の信号帯域は狭窄されたものとなっている。
【０１４３】
図１３は、図５に表す受信側光伝送装置２００において図１２に表す設定透過帯域の設定が行われた場合の各段の受信フィルタ処理後の信号を表すイメージ図である。
【０１４４】
図１３に表す各信号の横軸は周波数であり、縦軸は信号強度である。
【０１４５】
初段受信フィルタ処理前の受信光信号ｒ１２”の信号帯域は帯域５ｒ１に含まれる。そのため、受信光信号ｒ１２”は、前記設定透過帯域を帯域５ｒ１とする初段受信フィルタ処理の影響を受けずに、受信光信号ｒ１２”の信号帯域に等しい信号帯域の受信光信号ｒ１２’になる。受信光信号ｒ１２’は、前記次段多重受信光信号の中で多重化されているものである。
【０１４６】
次段受信フィルタ処理に係る設定透過帯域である帯域４ｒ１２は、受信光信号ｒ１２’の信号帯域に包含される。そのため、次段受信フィルタ処理後の受信光信号ｒ１２”の信号帯域は、帯域４ｒ１２に等しくなる。
【０１４７】
受信光信号ｒ１ｍ”の信号帯域上限は、初段受信フィルタ処理に係る設定透過帯域である帯域５ｒ１の上限より高周波数側にある。そのため、初段受信フィルタ処理後の受信光信号ｒ１ｍ’の信号帯域上限は、帯域５ｒ１の上限に等しくなる。
【０１４８】
一方、受信光信号ｒ１ｍ”の信号帯域下限は、帯域５ｒ１内にある。従い、初段受信フィルタ処理後の受信光信号ｒ１ｍ’の信号帯域下限近傍の形状は、受信光信号ｒ１ｍ”の信号帯域下限近傍の形状に等しくなる。
【０１４９】
受信光信号ｒ１ｍ’の信号帯域上限は、次段受信フィルタ処理に係る設定透過帯域である帯域４ｒ１ｍの上限に等しい。そのため、次段受信フィルタ処理後の受信光信号ｒ１ｍの信号帯域上限近傍の信号強度は、二重のフィルタ処理の影響で、顕著に低下する。そのため、受信光信号ｒ１ｍは、受信光信号ｒ１２と比較して、顕著に狭窄された信号帯域のものとなっている。
【０１５０】
一方、受信光信号ｒ１ｍ’の信号帯域下限は、帯域４ｒ１ｍの下限の低周波数側にある。そのため、次段受信フィルタ処理後の受信光信号ｒ１ｍの信号帯域下限は、帯域４ｒ１ｍの下限に等しくなる。
【０１５１】
受信光信号ｒ２１”の信号帯域下限は初段受信フィルタ処理に係る設定透過帯域である帯域５ｒ２の下限より低周波数側にある。そのため、初段受信フィルタ処理後の受信光信号ｒ２１’の下限は、帯域５ｒ２の下限に等しくなる。
【０１５２】
一方、受信光信号ｒ２１”の信号帯域上限は帯域５ｒ２内にある。そのため、初段受信フィルタ処理後の受信光信号ｒ２１’の信号帯域上限近傍の形状は、受信光信号ｒ２１”の信号帯域上限近傍の形状と等しくなる。
【０１５３】
受信光信号ｒ２１’の信号帯域下限は次段受信フィルタ処理に係る設定透過帯域である帯域４ｒ２１の下限に等しい。そのため、次段受信フィルタ処理後の受信光信号ｒ２１の信号帯域下限近傍の信号強度は、二重のフィルタ処理の影響により、顕著に低下する。そのため、受信光信号ｒ２１は、受信光信号ｒ１２と比較して、顕著に狭窄された信号帯域のものとなっている。
【０１５４】
一方、受信光信号ｒ２１’の信号帯域上限は帯域４ｒ２１の上限より高周波数側にある。そのため、次段受信フィルタ処理後の受信光信号ｒ２１の信号帯域上限は、帯域４ｒ２１の上限に等しくなる。
【０１５５】
図１３を参照して説明したように、図６に表す設定透過帯域の設定が行われた場合、次段受信フィルタ処理後の受信光信号の信号帯域は、顕著に狭窄されたものになる場合がある。
【０１５６】
次に、第二実施形態の場合について説明する。
【０１５７】
図１４は、初段受信フィルタ処理及び次段受信フィルタ処理に係る設定透過帯域の第二実施形態の第一の設定例を表す図である。図１４（ａ’）は、前記初段多重受信光信号における各受信光信号を表す。図１４（ｂ）は、図１４（ａ）に表す破線で囲まれた部分の拡大図である。また、図１４（ｃ）は、図１４（ｂ）に表す設定透過帯域の初段受信フィルタ処理及び次段受信フィルタ処理を受けた後の受信光信号を表すイメージ図である。
【０１５８】
図１４（ａ）に表す帯域５ｒ１乃至５ｒｎの各々は、前記初段受信フィルタ処理に係る設定透過帯域である。当該初段受信フィルタ処理は、図５に表すＷＳＳ＿Ｂａｎｄ＿ＤＥＭＵＸ２０６において、前述の初段多重受信光信号を分波することにより得られた前記次段多重受信光信号の各々について行われるものである。
【０１５９】
また、帯域４ｒ１１乃至４ｒ１ｍの各々は、ＷＳＳ＿ＣＨ＿ＤＥＭＵＸ２０１において、前記次段多重受信光信号を分波することにより得られた受信光信号の各々について行われる前述の次段受信フィルタ処理に係る前記設定透過帯域を表す。帯域４ｒ２１乃至４ｒ２ｍ及び帯域４ｒｎ１乃至４ｒｎｍについても同様である。
【０１６０】
図１４（ａ）及び（ｂ）に表すように、帯域４ｒ１ｍの上限である周波数ｆ４ｒ１ｍｂは、帯域５ｒ１の上限である周波数ｆ５ｒ１ｂより高周波数側に設定されている。また、帯域４ｒ２１の下限である周波数ｆ４ｒ２１ａは、帯域５ｒ２の下限である周波数ｆ５ｒ２ａより低周波数側に設定されている。
【０１６１】
図１４（ａ）に表すように、帯域４ｒ２ｍの上限は、帯域５ｒ２の上限である周波数ｆ５ｒ２ｂの上限よりも高周波数側に設定されている。また、帯域４ｒｎ１の下限は、帯域５ｒｎの下限よりも低周波数側に設定されている。
【０１６２】
図１４（ａ）に図示を省略した他の設定透過帯域についても同様である。
【０１６３】
なお、帯域５ｒ１の下限である周波数ｆ５ｒ１ａは、帯域４ｒ１１の下限よりも低周波数側に設定されている。また、帯域５ｒｎの上限である周波数ｆ５ｒｎｂは帯域４ｒｎｍよりも高周波数側に設定されている。
【０１６４】
図１４（ｃ）に表す受信光信号ｒ１ｍは、設定透過帯域を帯域４ｓ１ｍとする前記初段送信フィルタ処理と設定透過帯域を帯域５ｓ１とする前記次段受信フィルタ処理とを行った図５に表す受信光信号ｒ１ｍである。
【０１６５】
受信光信号ｒ１ｍの信号帯域の上限近傍の信号強度は、当該初段受信フィルタ処理の影響は受けるが、当該次段受信フィルタ処理の影響は受けない。また、受信光信号ｒ１ｍの信号帯域の下限近傍の信号強度は、当該次段受信フィルタ処理の影響は受けるが、当該初段受信フィルタ処理の影響は受けない。そのため、受信光信号ｒ１ｍの信号帯域は、図１２に表す受信光信号ｒ１ｍのように狭窄されたものとはならない。
【０１６６】
また、受信光信号ｒ２１は、設定透過帯域を帯域４ｓ２１とする前記初段受信フィルタ処理と設定透過帯域を帯域５ｓ２とする前記次段受信フィルタ処理とを行った図５に表す受信光信号ｒ２１である。
【０１６７】
受信光信号ｒ２１の信号帯域の下限近傍の信号強度は、当該初段受信フィルタ処理の影響は受けるが、当該次段受信フィルタ処理の影響は受けない。また、受信光信号ｒ２１の信号帯域の上限近傍の信号強度は、当該次段受信フィルタ処理の影響は受けるが、当該初段受信フィルタ処理の影響は受けない。そのため、受信光信号ｒ２１の信号帯域は、図１２に表す受信光信号ｒ２１のように狭窄されたものとはならない。
【０１６８】
図１４に表す設定透過帯域の設定を行った場合には、初段受信フィルタ処理に係る設定透過帯域のエッジのいずれもが、次段受信フィルタ処理に係る設定透過帯域のエッジのいずれとも重ならない。そのため、同場合には、図１３に表す受信光信号ｒ１ｍ及びｒ２１で生じているような、信号帯域の狭窄は生じない。
【０１６９】
図１５は、図５に表す受信側光伝送装置２００において図１４に表す設定透過帯域の設定が行われた場合の各段の受信フィルタ処理後の信号を表すイメージ図である。
【０１７０】
図１５に表す各信号の横軸は周波数であり、縦軸は信号強度である。
【０１７１】
初段受信フィルタ処理前の受信光信号ｒ１２”の信号帯域は帯域５ｒ１に含まれる。そのため、受信光信号ｒ１２”は、前記設定透過帯域を帯域５ｒ１とする初段受信フィルタ処理の影響を受けない。そのため、初段受信フィルタ処理後の受信光信号ｒ１２’の信号帯域は、受信光信号ｒ１２”の信号帯域に等しくなる。なお、受信光信号ｒ１２’は、前記次段多重受信光信号の中で多重化されているものである。
【０１７２】
次段受信フィルタ処理に係る設定透過帯域である帯域４ｒ１２は、受信光信号ｒ１２’の信号帯域に包含される。そのため、次段受信フィルタ処理後の受信光信号ｒ１２の信号帯域は、帯域４ｒ１２に等しくなる。
【０１７３】
受信光信号ｒ１ｍ”の信号帯域上限は、初段受信フィルタ処理に係る設定透過帯域である帯域５ｒ１の上限より高周波数側にある。そのため、初段受信フィルタ処理後の受信光信号ｒ１ｍ’の信号帯域上限は、帯域５ｒ１の上限に等しくなる。
【０１７４】
一方、受信光信号ｒ１ｍ”の信号帯域下限は、帯域５ｒ１内にある。従い、初段受信フィルタ処理後の受信光信号ｒ１ｍ’の信号帯域下限近傍の形状は、受信光信号ｒ１ｍ”の信号帯域下限近傍の形状に等しくなる。
【０１７５】
受信光信号ｒ１ｍ’の信号帯域下限は、次段受信フィルタ処理に係る設定透過帯域である帯域４ｒ１ｍの下限よりも低周波数側にある。そのため、次段受信フィルタ処理後の受信光信号ｒ１ｍの信号帯域下限は、帯域４ｒ１ｍの下限に等しくなる。
【０１７６】
一方、受信光信号ｒ１ｍ”の信号帯域上限は、帯域５ｒ１の上限よりも高周波数側にある。そのため、初段受信フィルタ処理後の受信光信号ｒ１ｍ’の信号帯域上限は、帯域５ｒ１に等しくなる。
【０１７７】
受信光信号ｒ１ｍ’の信号帯域上限は、帯域４ｒ１ｍ内にある。そのため、次段受信フィルタ処理後の受信光信号ｒ１ｍの信号帯域上限近傍の形状は、受信光信号ｒ１ｍ’の信号帯域上限近傍の形状に等しくなる。
【０１７８】
こうして、次段受信フィルタ処理後の受信光信号ｒ１ｍの信号帯域は帯域４ｒ１ｍの下限と帯域５ｒ１の上限とにより設定されたものとなる。また、受信光信号ｒ１ｍの信号帯域の下限近傍は、次段受信フィルタ処理による影響は受けているが、初段受信フィルタ処理の影響を受けていない。そのため、受信光信号ｒ１ｍの信号帯域の上限近傍には、初段受信フィルタ処理の影響と次段受信フィルタ処理による影響を二重に受けることにより生じる、図１３に表す受信光信号ｒ１ｍにおいて生じている信号帯域の顕著な狭窄は生じない。
【０１７９】
受信光信号ｒ２１”の信号帯域下限は初段受信フィルタ処理に係る設定透過帯域である帯域５ｒ２の下限より低周波数側にある。そのため、初段受信フィルタ処理後の受信光信号ｒ２１’の下限は、帯域５ｒ２の下限に等しくなる。
【０１８０】
一方、受信光信号ｒ２１の信号帯域上限は帯域５ｒ２内にある。そのため、初段受信フィルタ処理後の受信光信号ｒ２１’の信号帯域上限近傍の形状は、受信光信号ｒ２１”の信号帯域上限近傍の形状と等しくなる。
【０１８１】
受信光信号ｒ２１’の信号帯域下限は次段受信フィルタ処理に係る設定透過帯域である帯域４ｒ２１内にある。そのため、次段受信フィルタ処理後の受信光信号ｒ２１の信号帯域下限近傍の形状は、受信光信号ｒ２１’の信号帯域下限近傍の形状に等しくなる。
【０１８２】
一方、受信光信号ｒ２１’の信号帯域上限は帯域４ｒ２１の上限より高周波数側にある。そのため、次段受信フィルタ処理後の受信光信号ｒ２１の信号帯域上限は、帯域４ｒ２１の上限に等しくなる。
【０１８３】
こうして、次段受信フィルタ処理後の受信光信号ｒ２１の信号帯域は帯域４ｒ２１の上限と帯域５ｒ２の下限とにより設定されたものとなる。また、受信光信号ｒ２１の信号帯域の下限近傍は、次段受信フィルタ処理による影響は受けているが、初段受信フィルタ処理の影響を受けていない。そのため、受信光信号ｒ２１の信号帯域の上限近傍には、初段受信フィルタ処理の影響と次段受信フィルタ処理による影響を二重に受けることにより生じる、図１３に表す受信光信号ｒ２１において生じているような信号帯域の顕著な狭窄は生じない。
【０１８４】
図１６は、初段受信フィルタ処理及び次段受信フィルタ処理に係る設定透過帯域の本実施形態の第二の設定例を表す概念図である。図１６（ａ’）は、前記初段多重受信光信号における各受信光信号を表す。図１６（ｂ）は、図１６（ａ）に表す破線で囲まれた部分の拡大図である。また、図１６（ｃ）は、図１６（ｂ）に表す設定透過帯域の初段送信フィルタ処理及び次段受信フィルタ処理を受けた後の受信光信号を表すイメージ図である。
【０１８５】
図１６（ａ’）に示すように、受信光信号ｒ１ｍ”と受信光信号ｒ２１”とは、互いに隣接するチャネルのものではなく、二つの受信光信号の間にいずれのチャネルにも属しない帯域幅が存在する。当該帯域幅として、例えば、図１６（ａ’）に示すように受信光信号の受信に使用しない空チャネルが存在する。なお説明のために、図１６（ａ’）では空チャネルを受信光信号ｒ１（ｍ＋１）”のチャネルとして図示している。受信光信号ｒ１（ｍ＋１）”は実際には使用されない受信光信号であり、各ＷＳＳ＿ＣＨ＿ＤＥＭＵＸから出力されない受信光信号である。なお、前記空チャネルの帯域幅は、図示するような、他の受信光信号と等しい帯域幅の場合に限られない。
【０１８６】
図１６（ａ）に表す帯域５ｒ１乃至５ｒｎの各々は、前記初段受信フィルタ処理に係る設定透過帯域である。当該初段受信フィルタ処理は、図５に表すＷＳＳ＿Ｂａｎｄ＿ＤＥＭＵＸ２０６において、前述の初段多重受信光信号を分波することにより得られた前記次段多重受信光信号の各々について行われるものである。
【０１８７】
また、帯域４ｒ１１乃至４ｒ１ｍの各々は、ＷＳＳ＿ＣＨ＿ＤＥＭＵＸ２０１において、前記次段多重受信光信号を分波することにより得られた受信光信号の各々について行われる前述の次段受信フィルタ処理に係る前記設定透過帯域を表す。帯域４ｒ２１乃至４ｒ２ｍ及び帯域４ｒｎ１乃至４ｒｎｍについても同様である。
【０１８８】
図１６（ａ）及び（ｂ）に表すように、帯域４ｒ１ｍの高周波数側のエッジの周波数である周波数ｆ４ｒ１ｍｂは、帯域５ｒ１の上限である周波数ｆ５ｒ１ｂより高周波数側に設定されている。また、帯域４ｒ２１の下限である周波数ｆ４ｒ２１ａは、帯域５ｒ２内に設定されている。
【０１８９】
また、図１６（ａ）に表すように、帯域４ｒ２ｍの上限は、帯域５ｒ２の上限である周波数ｆ５ｒ２ｂよりも高周波数側に設定されている。また、帯域４ｒｎ１の下限は、帯域５ｒｎ内に設定されている。
【０１９０】
図１６（ａ）に図示を省略した他の設定透過帯域についても同様である。
【０１９１】
なお、帯域５ｒ１の下限である周波数ｆ５ｒ１ａは、帯域４ｒ１１の下限よりも低周波数側に設定されている。また、帯域５ｒｎの上限である周波数ｆ５ｒｎｂは帯域４ｒｎｍよりも高周波数側に設定されている。
【０１９２】
図１６（ｃ）に表す受信光信号ｒ１ｍは、設定透過帯域を帯域４ｓ１ｍとする前記初段送信フィルタ処理と設定透過帯域を帯域５ｓ１とする前記次段受信フィルタ処理とを行った図５に表す受信光信号ｒ１ｍである。
【０１９３】
受信光信号ｒ１ｍの信号帯域の上限近傍の信号強度は、当該初段受信フィルタ処理の影響は受けるが、当該次段受信フィルタ処理の影響は受けない。また、受信光信号ｒ１ｍの信号帯域の下限近傍の信号強度は、当該次段受信フィルタ処理の影響は受けるが、当該初段受信フィルタ処理の影響は受けない。そのため、受信光信号ｒ１ｍの信号帯域は、図１２に表す受信光信号ｒ１ｍのように狭窄されたものとはならない。
【０１９４】
また、受信光信号ｒ２１は、設定透過帯域を帯域４ｓ２１とする前記初段受信フィルタ処理と設定透過帯域を帯域５ｓ２とする前記次段受信フィルタ処理とを行った図５に表す受信光信号ｒ２１である。
【０１９５】
受信光信号ｒ２１の信号帯域の下限近傍及び上限の信号強度は、共に、当該次段受信フィルタ処理の影響は受けるが、当該初段受信フィルタ処理の影響は受けない。そのため、受信光信号ｒ２１の信号帯域は、図１２に表す受信光信号ｒ２１のように狭窄されたものとはならない。
【０１９６】
図１６に表す設定透過帯域の設定を行った場合には、初段受信フィルタ処理に係る設定透過帯域のエッジのいずれもが、次段受信フィルタ処理に係る設定透過帯域のエッジのいずれとも重ならない。そのため、同場合には、図１３に表す受信光信号ｒ１ｍ及びｒ２１で生じているような、信号帯域の狭窄は生じない。
【０１９７】
図１７は、初段受信フィルタ処理及び次段受信フィルタ処理に係る設定透過帯域の本実施形態の第三の設定例を表す図である。図１７（ａ’）は、前記初段多重受信光信号における各受信光信号を表す。図１７（ｂ）は、図１７（ａ）に表す破線で囲まれた部分の拡大図である。また、図１２（ｃ）は、図１２（ｂ）に表す設定透過帯域の初段受信フィルタ処理及び次段受信フィルタ処理を受けた後の受信光信号を表すイメージ図である。
【０１９８】
図１７（ａ’）に示すように、受信光信号ｒ１ｍ”と受信光信号ｒ２１”とは、互いに隣接するチャネルのものではなく、二つの受信光信号の間にいずれのチャネルにも属しない帯域幅が存在する。当該帯域幅として、例えば図１７（ａ’）に示すように受信光信号の受信に使用しない空チャネルが存在する。なお説明のために、図１７（ａ’）では空チャネルを受信光信号ｒ１（ｍ＋１）”のチャネルとして図示している。受信光信号ｒ１（ｍ＋１）”は実際には使用されない受信光信号であり、各ＷＳＳ＿ＣＨ＿ＤＥＭＵＸから出力されない受信光信号である。なお、前記空チャネルの帯域幅は、図示するような、他の受信光信号と等しい帯域幅の場合に限られない。
【０１９９】
図１７（ａ）に表す帯域５ｒ１乃至５ｒｎの各々は、前記初段受信フィルタ処理に係る設定透過帯域である。当該初段受信フィルタ処理は、図５に表すＷＳＳ＿Ｂａｎｄ＿ＤＥＭＵＸ２０６において、前述の初段多重受信光信号を分波することにより得られた前記次段多重受信光信号の各々について行われるものである。
【０２００】
また、帯域４ｒ１１乃至４ｒ１ｍの各々は、ＷＳＳ＿ＣＨ＿ＤＥＭＵＸ２０１において、前記次段多重受信光信号を分波することにより得られた受信光信号の各々について行われる前述の次段受信フィルタ処理に係る前記設定透過帯域を表す。帯域４ｒ２１乃至４ｒ２ｍ及び帯域４ｒｎ１乃至４ｒｎｍについても同様である。
【０２０１】
図１７（ａ）及び（ｂ）に表すように、帯域４ｒ１ｍの上限である周波数ｆ４ｒ１ｍｂは、帯域５ｒ１内に設定されている。また、帯域４ｒ２１の下限である周波数ｆ４ｒ２１ａは、帯域５ｒ２の下限である周波数ｆ５ｒ２ａよりも低周波数側に設定されている。
【０２０２】
また、図１７（ａ）に表すように、帯域４ｒ２ｍの上限は、帯域５ｒ２内に設定されている。また、帯域４ｒｎ１の下限は、帯域５ｒｎの下限である周波数ｆ５ｒｎａよりも低周波数側に設定されている。
【０２０３】
図１７（ａ）に図示を省略した他の設定透過帯域についても同様である。
【０２０４】
なお、帯域５ｒ１の下限である周波数ｆ５ｒ１ａは、帯域４ｒ１１の下限よりも低周波数側に設定されている。また、帯域５ｒｎの上限である周波数ｆ５ｒｎｂは帯域４ｒｎｍの上限よりも高周波数側に設定されている。
【０２０５】
図１７（ｃ）に表す受信光信号ｒ１ｍは、設定透過帯域を帯域４ｓ１ｍとする前記初段送信フィルタ処理と設定透過帯域を帯域５ｓ１とする前記次段受信フィルタ処理とを行った図５に表す受信光信号ｒ１ｍである。
【０２０６】
受信光信号ｒ１ｍの信号帯域の上限近傍及び下限近傍の信号強度は、共に、当該次段受信フィルタ処理の影響は受けるが、当該初段受信フィルタ処理の影響は受けない。そのため、受信光信号ｒ１ｍの信号帯域は、図１２に表す受信光信号ｒ１ｍのように狭窄されたものとはならない。
【０２０７】
また、受信光信号ｒ２１は、設定透過帯域を帯域４ｓ２１とする前記初段受信フィルタ処理と設定透過帯域を帯域５ｓ２とする前記次段受信フィルタ処理とを行った図５に表す受信光信号ｒ２１である。
【０２０８】
受信光信号ｒ２１の信号帯域の下限近傍の信号強度は、当該次段受信フィルタ処理の影響は受けるが、当該初段受信フィルタ処理の影響は受けない。また、受信光信号ｒ２１の信号帯域の上限近傍の信号強度は、当該次段受信フィルタ処理の影響は受けるが、当該初段受信フィルタ処理の影響は受けない。そのため、受信光信号ｒ２１の信号帯域は、図１２に表す受信光信号ｒ２１のように狭窄されたものとはならない。
【０２０９】
図１７に表す設定透過帯域の設定を行った場合には、初段受信フィルタ処理に係る設定透過帯域のエッジのいずれもが、次段受信フィルタ処理に係る設定透過帯域のエッジのいずれとも重ならない。そのため、同場合には、図１３に表す受信光信号ｒ１ｍ及びｒ２１で生じているような、信号帯域の狭窄は生じない。
【０２１０】
また、送信用光伝送装置において、送信光信号について三段以上の送信フィルタ処理が行われても構わない。その場合、各段の送信フィルタ処理に係る設定透過帯域のエッジは、いずれも、互いに重ならないように設定される。
【０２１１】
また、以上の説明においては、受信用光伝送装置である受信側光伝送装置が、二段の光分波装置を備える場合について説明したが、受信用光伝送装置が三段以上の光分波装置を備えても構わない。
【０２１２】
また、受信用光伝送装置において、受信光信号について三段以上の送信フィルタ処理が行われても構わない。その場合、各段の受信フィルタ処理に係る設定透過帯域のエッジは、いずれも、互いに重ならないように設定される。
［効果］
本実施形態の光通信システムに含まれる送信側光伝送装置及び受信側光伝送装置の各々においては、光信号についての複数段のフィルタ処理に係る設定透過帯域のエッジが、いずれも、互いに重ならないように設定されている。そのため、前記光通信システムは、複数段のフィルタ処理に係る設定透過帯域のエッジが重なることにより生ずる、重なるエッジ近傍の周波数での、光信号の顕著な信号強度低下を抑え得る。そのため、前記光通信システムは、前記信号強度低下に伴う、前記光信号の信号帯域の狭窄を抑え得る。
＜第三実施形態＞
第三実施形態は、光信号の多段のフィルタ処理に係る設定透過帯域のエッジが互いに重ならないように自動設定する光通信システムに関する実施形態である。
［構成と動作］
図１８は、第三実施形態の光通信システムの例である光通信システム８００の構成を表す概念図である。
【０２１３】
図１８に表す光通信システム８００の説明は、以下の説明を除いて、図５に表す光通信システム８００の説明と同じである。以下の説明が、第二実施形態の説明と矛盾する場合は、以下の説明を優先する。
【０２１４】
図１８に表す光通信システム８００は、図５に表す構成に加えて、制御部１７０及び２７０を備える。
【０２１５】
制御部１７０は、ＷＳＳ＿ＣＨ＿ＭＵＸ１０１乃至１０ｎの各々（初段送信ＷＳＳ）及びＷＳＳ＿Ｂａｎｄ＿ＭＵＸ１０６（次段送信ＷＳＳ）から、各送信フィルタ処理に係る各設定透過帯域を表す情報を取得する。そして、制御部１７０は、初段送信フィルタ処理に係る設定透過帯域のエッジの各々と、次段送信フィルタ処理に係る設定透過帯域のエッジの各々とで、重なるものを抽出する。そして、制御部１７０は、エッジが重なるものを抽出した場合は、そのエッジを含む設定透過帯域の初段送信フィルタ処理を行う初段送信ＷＳＳに対し、当該設定透過帯域の拡張を指示する制御情報を送付する。
【０２１６】
当該拡張は、抽出された初段送信フィルタ処理に係る設定透過帯域のエッジが、当該設定透過帯域の上限に係るものである場合には、設定透過帯域の上限の高周波数側への拡張である。
【０２１７】
また、前記拡張は、抽出された初段送信フィルタ処理に係る設定透過帯域のエッジが、当該設定透過帯域の下限に係るものである場合には、設定透過帯域の下限の低周波数側への拡張である。
【０２１８】
前記制御情報の送付を受けた初段送信ＷＳＳは、前記制御情報に従い、初段送信フィルタ処理に係る設定透過帯域の拡張を行う。
【０２１９】
一方、制御部２７０は、ＷＳＳ＿Ｂａｎｄ＿ＤＥＭＵＸ２０６（初段受信ＷＳＳ）ＷＳＳ＿ＣＨ＿ＤＥＭＵＸ２０１乃至２０ｎの各々（次段受信ＷＳＳ）から、各受信フィルタ処理に係る各設定透過帯域を表す情報を取得する。そして、制御部２７０は、初段受信フィルタ処理に係る設定透過帯域のエッジの各々と、次段受信フィルタ処理に係る設定透過帯域のエッジの各々とで、重なるものを抽出する。そして、制御部１２０は、エッジが重なるものを抽出した場合は、そのエッジを含む設定透過帯域の次段受信フィルタ処理を行う次段受信ＷＳＳに対し、当該設定透過帯域の拡張を指示する制御情報を送付する。
【０２２０】
当該拡張は、抽出された、次段受信フィルタ処理に係る設定透過帯域のエッジが、当該設定透過帯域の上限に係るものである場合には、設定透過帯域の上限の高周波数側への拡張である。
【０２２１】
また、前記拡張は、抽出された、次段受信フィルタ処理に係る設定透過帯域のエッジが、当該設定透過帯域の下限に係るものである場合には、設定透過帯域の下限の低周波数側への拡張である。
【０２２２】
前記制御情報の送付を受けた次段受信ＷＳＳは、前記制御情報に従い、次段受信フィルタ処理に係る設定透過帯域の拡張を行う。
［処理フロー例］
図１９は、制御部１７０及び２７０のうちのいずれか（以下、単に、「制御部」という。）が行う処理の処理フローを表す概念図である。
【０２２３】
制御部は、例えば、外部からの開始情報の入力により、図１９に表す処理を開始する。
【０２２４】
そして、制御部は、Ｓ１０１の処理として、対象とする光伝送装置（送信側光伝送装置１００又は受信側光伝送装置２００）に含まれる各ＷＳＳにおいて、各フィルタの透過帯域の設定がされているかについての判定を行う。制御部は、当該判定を、例えば、各ＷＳＳからの設定完了情報を取得することにより行う。
【０２２５】
制御部は、Ｓ１０１の処理による判定結果がｙｅｓの場合は、Ｓ１０２の処理を行う。
【０２２６】
一方、制御部は、Ｓ１０１の処理による判定結果がｎｏの場合は、Ｓ１０１の処理を再度行う。
【０２２７】
制御部は、Ｓ１０２の処理を行う場合は、同処理として、対象とする光伝送装置に含まれる各ＷＳＳにおいて設定されている設定透過帯域をすべて取得し、格納する。
【０２２８】
そして、制御部は、Ｓ１０３の処理として、対象とする光伝送装置に含まれる各下位透過帯域の上限を特定する。ここで、下位透過帯域は、前記初段送信ＷＳＳ又は前記次段受信ＷＳＳにおけるフィルタ処理に係る設定透過帯域をいう。
【０２２９】
そして、制御部は、Ｓ１０４の処理として、各下位透過帯域の上限を特定する。ここで、上位透過帯域は、前記次段送信ＷＳＳ又は前記初段受信ＷＳＳにおけるフィルタ処理に係る設定透過帯域をいう。
【０２３０】
そして、制御部は、Ｓ１０５の処理として、Ｓ１０３の処理により特定した下位透過帯域の上限とＳ１０４の処理により特定した上位透過帯域の上限との差が閾値Ｔｈ１以下の下位透過帯域を抽出する。ここで、閾値Ｔｈ１は、二つの上限の差が閾値Ｔｈ１以下の場合にその二つの上限は一致しているとみなす趣旨で予め定められた閾値である。
【０２３１】
そして、制御部は、Ｓ１０５の処理により抽出した各下位透過帯域に係るフィルタ処理を行う各下位ＷＳＳに対し、対応する下位透過帯域の上限をより周波数の高い値に変更する指示を行う。当該指示を受けた下位ＷＳＳは、当該指示に従い、対象とする下位透過帯域の上限の変更を行う。
【０２３２】
そして、制御部は、Ｓ１０７の処理として、対象とする光伝送装置に含まれる各下位透過帯域の下限を特定する。
【０２３３】
そして、制御部は、Ｓ１０８の処理として、各上位透過帯域の下限を特定する。
【０２３４】
そして、制御部は、Ｓ１０９の処理として、Ｓ１０７の処理により特定した下位透過帯域の下限とＳ１０８の処理により特定した上位透過帯域の下限との差が閾値Ｔｈ２以下の下位透過帯域を抽出する。ここで、閾値Ｔｈ２は、二つの下限の差が閾値Ｔｈ２以下の場合にその二つの下限は一致しているとみなす趣旨で予め定められた閾値である。
【０２３５】
そして、制御部は、Ｓ１１０の処理により抽出した各下位透過帯域に係るフィルタ処理を行う各下位ＷＳＳに対し、対応する下位透過帯域の下限をより周波数の低い値に変更する旨の指示を行う。当該指示を受けた下位ＷＳＳは、当該指示に従い、対象とする下位透過帯域の下限の変更を行う。
【０２３６】
そして、制御部は、図１９に表す処理を終了する。
［効果］
第三実施形態の光通信システムは、第二実施形態の光通信システムと同様の構成を備え、第二実施形態の光通信システムと同様の効果を奏する。
【０２３７】
それに加え、第三実施形態は、上記効果を奏するための、設定透過帯域の設定を、自動的に行い得る。
＜第四実施形態＞
第四実施形態は、前述の次段送信光多重信号をモニタすることにより、各ＷＳＳの設定透過帯域の調整を行う、光伝送装置に関する実施形態である。
［構成と動作］
図２０は、第四実施形態の光伝送装置の例である光伝送装置１９０の構成を表す概念図である。
【０２３８】
光伝送装置１９０は、送信側光伝送装置１００と制御部１７０とを備える。
【０２３９】
送信側光伝送装置１００は、図１８に表す送信側光伝送装置１００が備える構成に加えて、光カプラ１６１と信号モニタ１６２とを備える。
【０２４０】
光カプラ１６１は、ＷＳＳ＿Ｂａｎｄ＿ＭＵＸ１０６から伝送路３００へ送付される前述の次段送信多重光信号の一部を分離し、信号モニタ１６２に入力する。
【０２４１】
信号モニタ１６２は、例えば、ＯＣＭ（Ｏｐｔｉｃａｌ  Ｃｈａｎｎｅｌ  Ｍｏｎｉｔｏｒ）である。
【０２４２】
信号モニタ１６２は、光カプラ１６１から入力された次段多重送信光信号の信号強度の周波数特性を測定する。そして、信号モニタ１６２は、測定した周波数特性を表す情報を、制御部１７０に入力する。
【０２４３】
制御部１７０は、信号モニタ１６２から入力された前記情報から、初段送信フィルタ処理に係る設定透過帯域の上限又は下限のうち変更すべきものを特定する。
【０２４４】
そして、制御部１７０は、特定した上限又は下限に対応する下位ＷＳＳに対し、設定透過帯域の上限又は下限の変更を指示する制御信号を送付する。ここで、下位ＷＳＳは、図２０に表すＷＳＳ＿ＣＨ＿ＭＵＸ１０１乃至１０ｎの各々である。下位ＷＳＳの各々には、チャネルごとの周波数帯域が割り当てられている。
【０２４５】
なお、光伝送装置１９０は、ＯＣＩとして構成されてもよい。
【０２４６】
図２０に表す送信側光伝送装置１００及び制御部１７０の説明は、上記を除いて、図１８に表す送信側光伝送装置１００及び制御部１７０の説明と同じである。上記説明と第三実施形態の説明とが矛盾する場合は、上記説明を優先する。
［効果］
第四実施形態の光伝送装置は、次段多重送信光信号の周波数特性をモニタする。そして、前記光伝送装置は、それにより、初段受信フィルタ処理に係る各設定透過帯域の上限又は下限のうち変更を行うべきものを特定し、対応する下位ＷＳＳに当該上限又は下限の変更を行わせる。そのため、前記光伝送装置は、例えば、制御部が、各下位ＷＳＳにおける初段受信フィルタ処理に係る設定透過帯域を表すチャネル情報を各送信部から取得しなくても、次段多重送信光信号をモニタすることで、前記設定透過帯域の調整を行い得る
図２１は、実施形態の光伝送装置の最小限の構成である光伝送装置１００ｘを表すブロック図である。
【０２４７】
光伝送装置１００ｘは、第一合波装置１０１ｘと第二合波装置１０６ｘとを備える。
【０２４８】
第一合波装置１０１ｘは、入力された送信光信号の各々に対し第一フィルタ処理を行った第一処理後信号の各々を合波した第一波長多重信号を出力する。
【０２４９】
第二合波装置１０６ｘは、第二フィルタ処理を行った前記第一波長多重信号の各々を合波した第二波長多重信号を出力する。
【０２５０】
前記第一フィルタ処理の各々に係る透過帯域である第一透過帯域の各々の上限及び下限の各々が、前記第二フィルタ処理の各々に係る透過帯域である第二透過帯域の各々の上限及び下限の各々と異なる。
【０２５１】
光伝送装置１００ｘにおいては、前記第一フィルタ処理に係る各設定透過帯域の上限及び下限の各々のいずれもが、次段送信フィルタ処理に係る設定透過帯域の上限及び下限の各々のいずれとも重ならない。そのため、前記光伝送装置から出力される多重送信光信号に含まれる各送信光信号の信号帯域の上限及び上限のいずれもが、前記第一フィルタ処理か前記第二フィルタ処理かのいずれか一方により定められたものである。すなわち、前記上限及び下限のいずれもが、前記第一フィルタ処理と前記第二フィルタ処理とにより二重のフィルタ処理の影響を受けない。そのため、前記光伝送装置は、二重のフィルタ処理による送信光信号の信号帯域の狭窄を抑制し得る。
【０２５２】
そのため、光伝送装置１００ｘは、前記構成により、［発明の効果］の項に記載した効果を奏する。
【０２５３】
以上、本発明の各実施形態を説明したが、本発明は、前記した実施形態に限定されるものではなく、本発明の基本的技術的思想を逸脱しない範囲で更なる変形、置換、調整を加えることができる。例えば、各図面に示した要素の構成は、本発明の理解を助けるための一例であり、これらの図面に示した構成に限定されるものではない。
【０２５４】
また、前記の実施形態の一部又は全部は、以下の付記のようにも記述され得るが、以下には限られない。
（付記１）
入力された送信光信号の各々に対し第一フィルタ処理を行った第一処理後信号の各々を合波した第一波長多重信号を出力する第一合波装置と、
第二フィルタ処理を行った前記第一波長多重信号の各々を合波した第二波長多重信号を出力する第二合波装置と、
を備え、
前記第一フィルタ処理の各々に係る透過帯域である第一透過帯域の各々の上限及び下限の各々が、前記第二フィルタ処理の各々に係る透過帯域である第二透過帯域の各々の上限及び下限の各々と異なる、
光伝送装置。
（付記２）
前記第二透過帯域は前記第一透過帯域と共通の透過帯域部分を有する、付記１に記載された光伝送装置。
（付記３）
前記入力を行う送信器をさらに備える、付記１又は付記２に記載された光伝送装置。
（付記４）
ある前記第二透過帯域に含まれる前記第一透過帯域のうち最も高い周波数のものの上限が、その前記第二透過帯域の上限よりも高い、付記１乃至付記３のうちのいずれか一に記載された光伝送装置。
（付記５）
周波数の近接した二つの前記第二透過帯域のうちの低い周波数の方に含まれる前記第一透過帯域のうち最も高い周波数のものの上限が、その前記第二透過帯域の上限よりも高い、付記１又は付記２に記載された光伝送装置。
（付記６）
ある前記第二透過帯域に含まれる前記第一透過帯域のうち最も低い周波数のものの下限が、その前記第二透過帯域の下限よりも低い、付記１乃至付記５のうちのいずれか一に記載された光伝送装置。
（付記７）
周波数の近接した二つの前記第二透過帯域のうちの周波数が高い方に含まれる前記第一透過帯域のうち最も低い周波数のものの下限が、その前記第二透過帯域の下限よりも低い、付記１乃至付記５のうちのいずれか一に記載された光伝送装置。
（付記８）
入力された送信光信号の各々に対し第一フィルタ処理を行った第一処理後信号の各々を合波した第一波長多重信号を出力する第一合波装置と、
第二フィルタ処理を行った前記第一波長多重信号の各々を合波した第二波長多重信号を出力する第二合波装置と、
前記第一フィルタ処理の各々に係る透過帯域である第一透過帯域の各々の上限及び下限の各々を、前記第二フィルタ処理の各々に係る透過帯域である第二透過帯域の各々の上限及び下限の各々と異なるように設定する設定部とを備える、
光伝送装置。
（付記９）
付記１乃至付記８のうちのいずれか一に記載された伝送装置が送信した前記第二波長多重信号を第一受信波長多重信号として受信する、光受信装置。
（付記１０）
前記第一受信波長多重信号を分波した第一分波信号の各々に対し第三フィルタ処理を行った第二受信波長多重信号を出力する第一分波装置と、
前記第二受信波長多重信号を分波した第二分波信号に対し第四フィルタ処理を行った受信光信号を出力する第二分波装置と、
を備え、
前記第三フィルタ処理の各々に係る透過帯域である第三透過帯域の各々の上限及び下限の各々が、前記第四フィルタ処理の各々に係る透過帯域である第四透過帯域の各々の上限及び下限の各々と異なる、
付記９に記載された光受信装置。
（付記１１）
前記受信光信号を受信する受信器をさらに備える、付記１０に記載された光受信装置。
（付記１２）
ある前記第三透過帯域に含まれる前記第四透過帯域のうち最も高い周波数のものの上限が、その前記第三透過帯域の上限よりも高い、付記１１に記載された光受信装置。
（付記１３）
周波数の近接した二つの前記第三透過帯域のうちの低い周波数の方に含まれる前記第四透過帯域のうち最も高い周波数のものの上限が、その前記第三透過帯域の上限よりも高い、付記１１に記載された光受信装置。
（付記１４）
ある前記第三透過帯域に含まれる前記第四透過帯域のうち最も低い周波数のものの下限が、その前記第三透過帯域の下限よりも低い、付記１０乃至付記１３のうちのいずれか一に記載された光受信装置。
（付記１５）
周波数の近接した二つの前記第三透過帯域のうちの周波数が高い方に含まれる前記第四透過帯域のうち最も低い周波数のものの下限が、その前記第三透過帯域の下限よりも低い、付記１０乃至付記１３のうちのいずれか一に記載された光受信装置。
（付記１６）
前記第一受信波長多重信号を分波した第一分波信号の各々に対し第三フィルタ処理を行った第二受信波長多重信号を出力する第一分波装置と、
前記第二受信波長多重信号を分波した第二分波信号に対し第四フィルタ処理を行った受信光信号を出力する第二分波装置と、
前記第三フィルタ処理の各々に係る透過帯域である第三透過帯域の各々の上限及び下限の各々を、前記第四フィルタ処理の各々に係る透過帯域である第四透過帯域の各々の上限及び下限の各々と異なるように設定する、第二設定部と、
備える付記９に記載された光受信装置。
（付記１７）
付記９乃至付記１６のうちのいずれか一に記載された光受信装置と前記伝送装置とを備える、光通信システム。
（付記１８）
入力された送信光信号の各々に対し第一フィルタ処理を行った第一処理後信号の各々を合波した第一波長多重信号を出力し、
第二フィルタ処理を行った前記第一波長多重信号の各々を合波した第二波長多重信号を出力し、
前記第一フィルタ処理の各々に係る透過帯域である第一透過帯域の各々の上限及び下限の各々が、前記第二フィルタ処理の各々に係る透過帯域である第二透過帯域の各々の上限及び下限の各々と異なる、
光伝送方法。
（付記１９）
受信した第一受信波長多重信号を分波した第一分波信号の各々に対し第三フィルタ処理を行った第二受信波長多重信号を出力し、
前記第二受信波長多重信号を分波した第二分波信号に対し第四フィルタ処理を行った受信光信号を出力し、
前記第三フィルタ処理の各々に係る透過帯域である第三透過帯域の各々の上限及び下限の各々が、前記第四フィルタ処理の各々に係る透過帯域である第四透過帯域の各々の上限及び下限の各々と異なる、
光受信方法。
（付記２０）
入力された送信光信号の各々に対し第一フィルタ処理を行った第一処理後信号の各々を合波した第一波長多重信号を出力する第一合波装置と、第二フィルタ処理を行った前記第一波長多重信号の各々を合波した第二波長多重信号を出力する第二合波装置と、における前記第一フィルタ処理の各々に係る透過帯域である第一透過帯域の各々の上限及び下限の各々を、前記第二フィルタ処理の各々に係る透過帯域である第二透過帯域の各々の上限及び下限の各々と異なるように設定する、
設定方法。
（付記２１）
入力された第一受信波長多重信号を分波した第一分波信号の各々に対し第三フィルタ処理を行った第二受信波長多重信号を出力する第一分波装置と、前記第二受信波長多重信号を分波した第二分波信号に対し第四フィルタ処理を行った受信光信号を出力する第二分波装置と、における、前記第四フィルタ処理の各々に係る透過帯域である第四透過帯域の各々の上限及び下限の各々を、前記第三フィルタ処理の各々に係る透過帯域である第三透過帯域の各々の上限及び下限の各々が、前記第四フィルタ処理の各々に係る透過帯域である第四透過帯域の各々の上限及び下限の各々と異なるように設定する、
設定方法。
（付記２２）
入力された送信光信号の各々に対し第一フィルタ処理を行った第一処理後信号の各々を合波した第一波長多重信号を出力する処理と、
第二フィルタ処理を行った前記第一波長多重信号の各々を合波した第二波長多重信号を出力する処理と、
をコンピュータに実行させ、
前記第一フィルタ処理の各々に係る透過帯域である第一透過帯域の各々の上限及び下限の各々が、前記第二フィルタ処理の各々に係る透過帯域である第二透過帯域の各々の上限及び下限の各々と異なる、
光伝送プログラム。
（付記２３）
受信した第一受信波長多重信号を分波した第一分波信号の各々に対し第三フィルタ処理を行った第二受信波長多重信号を出力する処理と、
前記第二受信波長多重信号を分波した第二分波信号に対し第四フィルタ処理を行った受信光信号を出力する処理と、
をコンピュータに実行させ、
前記第三フィルタ処理の各々に係る透過帯域である第三透過帯域の各々の上限及び下限の各々が、前記第四フィルタ処理の各々に係る透過帯域である第四透過帯域の各々の上限及び下限の各々と異なる、
光受信プログラム。
（付記２４）
入力された送信光信号の各々に対し第一フィルタ処理を行った第一処理後信号の各々を合波した第一波長多重信号を出力する第一合波装置と、第二フィルタ処理を行った前記第一波長多重信号の各々を合波した第二波長多重信号を出力する第二合波装置と、における前記第一フィルタ処理の各々に係る透過帯域である第一透過帯域の各々の上限及び下限の各々を、前記第二フィルタ処理の各々に係る透過帯域である第二透過帯域の各々の上限及び下限の各々と異なるように、コンピュータに設定させる、
設定プログラム。
（付記２５）
入力された第一受信波長多重信号を分波した第一分波信号の各々に対し第三フィルタ処理を行った第二受信波長多重信号を出力する第一分波装置と、前記第二受信波長多重信号を分波した第二分波信号に対し第四フィルタ処理を行った受信光信号を出力する第二分波装置と、における、前記第四フィルタ処理の各々に係る透過帯域である第四透過帯域の各々の上限及び下限の各々を、前記第三フィルタ処理の各々に係る透過帯域である第三透過帯域の各々の上限及び下限の各々が、前記第四フィルタ処理の各々に係る透過帯域である第四透過帯域の各々の上限及び下限の各々と異なるようにコンピュータに設定させる、
設定プログラム。
以上、上述した実施形態を模範的な例として本発明を説明した。しかしながら、本発明は、上述した実施形態には限定されない。即ち、本発明は、本発明のスコープ内において、当業者が理解し得る様々な態様を適用することができる。
この出願は、２０１８年４月２７日に出願された日本出願特願２０１８−０８７２９５を基礎とする優先権を主張し、その開示の全てをここに取り込む。
【符号の説明】
【０２５５】
１００    送信側光伝送装置
１００ａ    光伝送装置
１０１、１０２、１０ｎ    ＷＳＳ＿ＣＨ＿ＭＵＸ
１０６    ＷＳＳ＿Ｂａｎｄ＿ＭＵＸ
１０１ａ、１０ｎａ、１０６ａ    合波装置
１０１ｘ    第一合波装置
１０６ｘ    第二合波装置
１７０、２７０    制御部
２００    受信側光伝送装置
２０１、２０２、２０ｎ    ＷＳＳ＿ＣＨ＿ＤＥＭＵＸ
２０６    ＷＳＳ＿Ｂａｎｄ＿ＤＥＭＵＸ
３００ａ    伝送路
４０１、４０ｍ、４ｒ１１、４ｒ１２、４ｒ１ｍ、４ｒ２１、４ｒ２２、４ｒ２ｍ、４ｒｎ１、４ｒｎ２、４ｒｎｍ、４ｓ１１、４ｓ１２、４ｓ１ｍ、４ｓ２１、４ｓ２２、４ｓ２ｍ、４ｓｎ１、４ｓｎ２、４ｓｎｍ、５０１、５ｒ１、５ｒ２、５ｒｎ、５ｓ１、５ｓ２、５ｓｎ
帯域
６１１、６１ｍ、６ｎ１、６ｎｋ    送信器
８００    光通信システム
Ａ、Ｂ    光信号
ｆ１、ｆ２、ｆ２’、ｆｃ、ｆ４１ａ、ｆ４ｍａ、ｆ４ｍｂ、ｆ４ｓ１ｍａ、ｆ４ｓ１ｍｂ、ｆ４ｓ２１ａ、ｆ４ｓ２１ｂ、ｆ５１ａ、ｆ５１ｂ、ｆ５ｓ１ａ、ｆ５ｓ１ｂ、ｆ５ｓ２ａ、ｆ５ｓ２ｂ、ｆ５ｓｎａ、ｆ５ｓｍｂ    周波数
ｒ１１、ｒ１２、ｒ１２’、ｒ１２”、ｒ１ｍ、ｒ１ｍ’、ｒ１ｍ”、ｒ２１、ｒ２１’、ｒ２１”、ｒ２２、ｒ２ｍ、ｒｎ１、ｒｎ２、ｒｎｍ    受信光信号
Ｒ１１、Ｒ１２、Ｒ１ｍ、Ｒ２１、Ｒ２２、Ｒ２ｍ、Ｒｎ１、Ｒｎ２、Ｒｎｍ    受信器
ｓ１１、ｓ１ｍ、ｓｎ１、ｓｎｋ、ｔ１１、ｔ１２、ｔ１２’、ｔ１２”、ｔ１ｍ、ｔ１ｍ’、ｔ１ｍ”、ｔ２１、ｔ２１’、ｔ２１”、ｔ２２、ｔ２ｍ、ｔｎ１、ｔｎ２、ｔｎｍ    送信光信号
Ｔ１１、Ｔ１２、Ｔ１ｍ、Ｔ２１、Ｔ２２、Ｔ２ｍ、Ｔｎ１、Ｔｎ２、Ｔｎｍ    送信器
【図１】
2019208413.tif 000003
【図２】
2019208413.tif 000004
【図３】
2019208413.tif 000005
【図４】
2019208413.tif 000006
【図５】
2019208413.tif 000007
【図６】
2019208413.tif 000008
【図７】
2019208413.tif 000009
【図８】
2019208413.tif 000010
【図９】
2019208413.tif 000011
【図１０】
2019208413.tif 000012
【図１１】
2019208413.tif 000013
【図１２】
2019208413.tif 000014
【図１３】
2019208413.tif 000015
【図１４】
2019208413.tif 000016
【図１５】
2019208413.tif 000017
【図１６】
2019208413.tif 000018
【図１７】
2019208413.tif 000019
【図１８】
2019208413.tif 000020
【図１９】
2019208413.tif 000021
【図２０】
2019208413.tif 000022
【図２１】
2019208413.tif 000023
【手続補正書】
【提出日】令和2年9月17日(2020.9.17)
【手続補正１】
【補正対象書類名】特許請求の範囲
【補正対象項目名】全文
【補正方法】変更
【補正の内容】
【特許請求の範囲】
【請求項１】
入力された送信光信号の各々に対し第一フィルタ処理を行った第一処理後信号の各々を合波した第一波長多重信号を出力する第一合波装置と、
第二フィルタ処理を行った前記第一波長多重信号の各々を合波した第二波長多重信号を出力する第二合波装置と、
を備え、
前記第一フィルタ処理の各々に係る透過帯域である第一透過帯域の各々の上限及び下限の各々が、前記第二フィルタ処理の各々に係る透過帯域である第二透過帯域の各々の上限及び下限の各々と異なる、
光伝送装置。
【請求項２】
前記第二透過帯域は前記第一透過帯域と共通の透過帯域部分を有する、請求項１に記載された光伝送装置。
【請求項３】
ある前記第二透過帯域に含まれる前記第一透過帯域のうち最も高い周波数のものの上限が、その前記第二透過帯域の上限よりも高い、請求項１又は請求項２に記載された光伝送装置。
【請求項４】
ある前記第二透過帯域に含まれる前記第一透過帯域のうち最も低い周波数のものの下限が、その前記第二透過帯域の下限よりも低い、請求項１乃至請求項３のうちのいずれか一に記載された光伝送装置。
【請求項５】
入力された送信光信号の各々に対し第一フィルタ処理を行った第一処理後信号の各々を合波した第一波長多重信号を出力する第一合波装置と、
第二フィルタ処理を行った前記第一波長多重信号の各々を合波した第二波長多重信号を出力する第二合波装置と、
前記第一フィルタ処理の各々に係る透過帯域である第一透過帯域の各々の上限及び下限の各々を、前記第二フィルタ処理の各々に係る透過帯域である第二透過帯域の各々の上限及び下限の各々と異なるように設定する設定部とを備える、
光伝送装置。
【請求項６】
請求項１乃至請求項５のうちのいずれか一に記載された伝送装置が送信した前記第二波長多重信号を第一受信波長多重信号として受信する、光受信装置。
【請求項７】
前記第一受信波長多重信号を分波した第一分波信号の各々に対し第三フィルタ処理を行った第二受信波長多重信号を出力する第一分波装置と、
前記第二受信波長多重信号を分波した第二分波信号に対し第四フィルタ処理を行った受信光信号を出力する第二分波装置と、
を備え、
前記第三フィルタ処理の各々に係る透過帯域である第三透過帯域の各々の上限及び下限の各々が、前記第四フィルタ処理の各々に係る透過帯域である第四透過帯域の各々の上限及び下限の各々と異なる、
請求項６に記載された光受信装置。
【請求項８】
ある前記第三透過帯域に含まれる前記第四透過帯域のうち最も高い周波数のものの上限が、その前記第三透過帯域の上限よりも高い、か、その前記第三透過帯域に含まれる前記第四透過帯域のうち最も低い周波数のものの下限が、その前記第三透過帯域の下限よりも低い、か、の少なくともいずれかである請求項７に記載された光受信装置。
【請求項９】
前記第一受信波長多重信号を分波した第一分波信号の各々に対し第三フィルタ処理を行った第二受信波長多重信号を出力する第一分波装置と、
前記第二受信波長多重信号を分波した第二分波信号に対し第四フィルタ処理を行った受信光信号を出力する第二分波装置と、
前記第三フィルタ処理の各々に係る透過帯域である第三透過帯域の各々の上限及び下限の各々を、前記第四フィルタ処理の各々に係る透過帯域である第四透過帯域の各々の上限及び下限の各々と異なるように設定する、第二設定部と、
備える請求項６に記載された光受信装置。
【請求項１０】
入力された送信光信号の各々に対し第一フィルタ処理を行った第一処理後信号の各々を合波した第一波長多重信号を出力し、
第二フィルタ処理を行った前記第一波長多重信号の各々を合波した第二波長多重信号を出力し、
前記第一フィルタ処理の各々に係る透過帯域である第一透過帯域の各々の上限及び下限の各々が、前記第二フィルタ処理の各々に係る透過帯域である第二透過帯域の各々の上限及び下限の各々と異なる、
光伝送方法。
【国際調査報告】
2019208413.tif 000024
2019208413.tif 000025